(57)【要約】  ネットワークコントローラは、追跡のためにRSをユーザ機器(UE)に送信するための1つまたは複数のチャネル状態情報基準信号(CSI-RS)構成を構成し得る。CSI-RS構成は、2つの連続するスロット内のRSを送信するためのCSI-RSリソースのセットを指定し得る。CSI-RSリソースのセットは、CSI-RS構成に従って構成された複数の1ポートCSI-RSリソースを含み得る。CSI-RS構成は、QCLパラメータのセットを含む準コロケーション(QCL)構成を指定し得、復調基準信号(DMRS)は、QCLパラメータのセットに関してRSとのQCL関係を有する。ネットワークコントローラは、1つまたは複数のCSI-RS構成をUEにシグナリングし得る。
2020530720.tif 000002
【特許請求の範囲】
【請求項１】
ネットワークコントローラによって、第1のチャネル状態情報-RS(CSI-RS)構成に従って追跡するための第1の基準信号(RS)を送信するステップを備え、前記第1のCSI-RS構成が、
前記第1のRSを送信するための2つの連続するスロット内のCSI-RSリソースの第1のセットであって、前記第1のCSI-RS構成に従って構成される複数の1ポートCSI-RSリソースを備える、CSI-RSリソースの第1のセットと、
QCLパラメータの第1のセットを備える第1の準コロケーション(QCL)構成であって、前記第1のRSが、QCLパラメータの前記第1のセットに関して第1の復調基準信号(DMRS)とのQCL関係を有することを示す、第1のQCL構成と
を指定する、方法。
【請求項２】
CSI-RSリソースの前記第1のセットが4つの1ポートCSI-RSリソースを備え、前記4つの1ポートCSI-RSリソースが周波数領域において等間隔に配置される、請求項1に記載の方法。
【請求項３】
前記第1のQCL構成がQCLパラメータの第2のセットを備え、前記第1のQCL構成が、前記第1のDMRSがQCLパラメータの前記第2のセットに関して第2のダウンリンク基準信号とのQCL関係を有することを示す、請求項1または2に記載の方法。
【請求項４】
前記第2のダウンリンク基準信号が、追跡のための第2のRSを備える、請求項1から3のいずれか一項に記載の方法。
【請求項５】
前記第2のダウンリンク基準信号が、同期信号(SS)または物理ブロードキャストチャネル(PBCH)ブロックを備える、請求項1から3のいずれか一項に記載の方法。
【請求項６】
前記第1のCSI-RS構成が、前記第1のRSが定期的に送信される時間間隔をさらに指定する、請求項1から5のいずれか一項に記載の方法。
【請求項７】
前記第1のCSI-RS構成が、時間領域における前記第1のRSの長さをさらに指定する、請求項1から6のいずれか一項に記載の方法。
【請求項８】
QCLパラメータの前記第1のセットが、平均遅延、ドップラシフト、遅延スプレッド、または空間受信機パラメータを備える、請求項1に記載の方法。
【請求項９】
前記ネットワークコントローラによって、前記第1のCSI-RS構成をシグナリングするステップをさらに備える、請求項1から8のいずれか一項に記載の方法。
【請求項１０】
前記ネットワークコントローラによって、第2のCSI-RS構成に従って追跡するための第2のRSを送信するステップであって、前記第2のCSI-RS構成が前記第1のCSI-RS構成とは異なり、前記第2のCSI-RS構成が、
前記第2のRSを送信するための2つの連続するスロット内のCSI-RSリソースの第2のセットであって、前記第2のCSI-RS構成に従って構成された複数の1ポートCSI-RSリソースを備える、CSI-RSリソースの第2のセットと、
QCLパラメータの第3のセットを備える第2のQCL構成であって、前記第2のRSがQCLパラメータの前記第3のセットに関して第2のDMRSとのQCL関係を有することを示す、第2のQCL構成と
を指定する、ステップをさらに備える、請求項1から9のいずれか一項に記載の方法。
【請求項１１】
前記第1のRSと前記第2のRSが同じユーザ機器(UE)に送信される、請求項10に記載の方法。
【請求項１２】
前記第1のRSと前記第2のRSが異なる間隔で送信される、請求項10に記載の方法。
【請求項１３】
前記第2のRSがSSブロックまたはCSI-RSを備える、請求項10に記載の方法。
【請求項１４】
前記第1のRSが、全帯域、部分帯域、またはUEがスケジューリングしたデータ送信帯域幅を使用して送信される、請求項1から13のいずれか一項に記載の方法。
【請求項１５】
ユーザ機器(UE)によって、第1のチャネル状態情報-RS(CSI-RS)構成に従って追跡するための第1の基準信号(RS)を受信するステップを備え、前記第1のCSI-RS構成が、
2つの連続するスロット内のCSI-RSリソースの第1のセットであって、前記第1のCSI-RS構成に従って構成される複数の1ポートCSI-RSリソースを備える、CSI-RSリソースの第1のセットと、
QCLパラメータの第1のセットを備える第1の準コロケーション(QCL)構成であって、前記第1のRSが、QCLパラメータの前記第1のセットに関して第1の復調基準信号(DMRS)とのQCL関係を有することを示す、第1のQCL構成と
を指定する、方法。
【請求項１６】
CSI-RSリソースの前記第1のセットが4つの1ポートCSI-RSリソースを備え、前記4つの1ポートCSI-RSリソースが周波数領域において等間隔に配置される、請求項15に記載の方法。
【請求項１７】
前記第1のQCL構成がQCLパラメータの第2のセットを備え、前記第1のQCL構成が、前記第1のDMRSがQCLパラメータの前記第2のセットに関して第2のダウンリンク基準信号とのQCL関係を有することを示す、請求項15または16に記載の方法。
【請求項１８】
前記第2のダウンリンク基準信号が、追跡のための第2のRSを備える、請求項17に記載の方法。
【請求項１９】
前記第2のダウンリンク基準信号が、同期信号(SS)または物理ブロードキャストチャネル(PBCH)ブロックを備える、請求項17に記載の方法。
【請求項２０】
前記第1のCSI-RS構成が、前記第1のRSが定期的に送信される時間間隔をさらに指定する、請求項15から19のいずれか一項に記載の方法。
【請求項２１】
前記第1のCSI-RS構成が、時間領域における前記第1のRSの長さをさらに指定する、請求項15から19のいずれか一項に記載の方法。
【請求項２２】
QCLパラメータの前記第1のセットが、平均遅延、ドップラシフト、遅延スプレッド、または空間受信機パラメータを備える、請求項15に記載の方法。
【請求項２３】
前記UEによって、前記第1のCSI-RS構成を受信するステップをさらに備える、請求項15に記載の方法。
【請求項２４】
前記UEによって、第2のCSI-RS構成に従って追跡するための第2のRSを受信するステップであって、前記第2のCSI-RS構成が前記第1のCSI-RS構成とは異なり、前記第2のCSI-RS構成が、
2つの連続するスロット内のCSI-RSリソースの第2のセットであって、前記第2のCSI-RS構成に従って構成された複数の1ポートCSI-RSリソースを備える、CSI-RSリソースの第2のセットと、
QCLパラメータの第3のセットを備える第2のQCL構成であって、第2のDMRSがQCLパラメータの前記第3のセットに関して前記第2のRSとのQCL関係を有することを示す、第2のQCL構成と
を指定する、ステップをさらに備える、請求項15に記載の方法。
【請求項２５】
前記第2のRSがSSブロックまたはCSI-RSを備える、請求項24に記載の方法。
【請求項２６】
前記UEによって、それが過ぎると前記第1のCSI-RS構成が期限切れになる時間期間を受信するステップをさらに備える、請求項15から25のいずれか一項に記載の方法。
【請求項２７】
前記UEによって、前記第1のQCL構成に従って前記UEによって受信された第1のデータを復調するステップをさらに備える、請求項15から25のいずれか一項に記載の方法。
【請求項２８】
前記UEによって、前記第1のRSおよび前記第1のQCL構成に基づいて同期推定を実行するステップをさらに備える、請求項15から25のいずれか一項に記載の方法。
【請求項２９】
前記UEによって、前記第1のQCL構成に従ってチャネル推定を実行するステップをさらに備える、請求項15に記載の方法。
【請求項３０】
命令を備える非一時的メモリストレージと、
前記メモリストレージと通信している1つまたは複数のプロセッサと
を備え、前記1つまたは複数のプロセッサが、
第1のチャネル状態情報-RS(CSI-RS)構成に従って追跡するための第1の基準信号(RS)を送信させるために前記命令を実行し、前記第1のCSI-RS構成が、
前記第1のRSを送信するための2つの連続するスロット内のCSI-RSリソースの第1のセットであって、前記第1のCSI-RS構成に従って構成される複数の1ポートCSI-RSリソースを備える、CSI-RSリソースの第1のセットと、
QCLパラメータの第1のセットを備える第1の準コロケーション(QCL)構成であって、前記第1のRSが、QCLパラメータの前記第1セットに関して第1の復調基準信号(DMRS)とのQCL関係を有することを示す、第1のQCL構成と
を指定する、基地局。
【請求項３１】
CSI-RSリソースの前記第1のセットが4つの1ポートCSI-RSリソースを備え、前記4つの1ポートCSI-RSリソースが周波数領域において等間隔に配置される、請求項30に記載の基地局。
【請求項３２】
前記第1のQCL構成がQCLパラメータの第2のセットを備え、前記第1のQCL構成が、前記第1のDMRSがQCLパラメータの前記第2のセットに関して第2のダウンリンク基準信号とのQCL関係を有することを示す、請求項30または31に記載の基地局。
【請求項３３】
前記第2のダウンリンク基準信号が、追跡のための第2のRSを備える、請求項32に記載の基地局。
【請求項３４】
前記第2のダウンリンク基準信号が、同期信号(SS)または物理ブロードキャストチャネル(PBCH)ブロックを備える、請求項32に記載の基地局。
【請求項３５】
前記第1のCSI-RS構成が、前記第1のRSが定期的に送信される時間間隔をさらに指定する、請求項30から34のいずれか一項に記載の基地局。
【請求項３６】
前記第1のCSI-RS構成が、時間領域における前記第1のRSの長さをさらに指定する、請求項30から34のいずれか一項に記載の基地局。
【請求項３７】
QCLパラメータの前記第1のセットが、平均遅延、ドップラシフト、遅延スプレッド、または空間受信機パラメータを備える、請求項30に記載の基地局。
【請求項３８】
前記1つまたは複数のプロセッサが、前記第1のCSI-RS構成をシグナリングすることをさらに行うために前記命令を実行する、請求項30に記載の基地局。
【請求項３９】
前記1つまたは複数のプロセッサが、
第2のCSI-RS構成に従って追跡するための第2のRSを送信させることをさらに行うために前記命令を実行し、前記第2のCSI-RS構成が前記第1のCSI-RS構成とは異なり、前記第2のCSI-RS構成が、
前記第2のRSを送信するための2つの連続するスロット内のCSI-RSリソースの第2のセットであって、前記第2のCSI-RS構成に従って構成された複数の1ポートCSI-RSリソースを備える、CSI-RSリソースの第2のセットと、
QCLパラメータの第3のセットを備える第2のQCL構成であって、前記第2のRSがQCLパラメータの前記第3のセットに関して第2のDMRSとのQCL関係を有することを示す、第2のQCL構成と
を指定する、請求項30に記載の基地局。
【請求項４０】
前記第2のRSがSSブロックまたはCSI-RSを備える、請求項39に記載の基地局。
【請求項４１】
前記第1のRSと前記第2のRSが同じユーザ機器(UE)に送信される、請求項39に記載の基地局。
【請求項４２】
前記第1のRSと前記第2のRSが異なる間隔で送信される、請求項39に記載の基地局。
【請求項４３】
前記第1のRSが、全帯域、部分帯域、またはUEがスケジューリングしたデータ送信帯域幅を使用して送信される、請求項30に記載の基地局。
【請求項４４】
命令を備える非一時的メモリストレージと、
前記メモリストレージと通信している1つまたは複数のプロセッサと
を備え、前記1つまたは複数のプロセッサが、
第1のチャネル状態情報-RS(CSI-RS)構成に従って追跡するための第1の基準信号(RS)を受信させるために前記命令を実行し、前記第1のCSI-RS構成が、
RSを搬送するための2つの連続するスロット内のCSI-RSリソースの第1のセットであって、前記第1のCSI-RS構成に従って構成される複数の1ポートCSI-RSリソースを備える、CSI-RSリソースの第1のセットと、
QCLパラメータの第1のセットを備える第1の準コロケーション(QCL)構成であって、前記第1のRSが、QCLパラメータの前記第1のセットに関して第1の復調基準信号(DMRS)とのQCL関係を有することを示す、第1のQCL構成と
を指定する、ユーザ機器(UE)。
【請求項４５】
CSI-RSリソースの前記第1のセットが4つの1ポートCSI-RSリソースを備え、前記4つの1ポートCSI-RSリソースが周波数領域において等間隔に配置される、請求項44に記載のUE。
【請求項４６】
前記第1のQCL構成がQCLパラメータの第2のセットを備え、前記第1のQCL構成が、前記第1のDMRSがQCLパラメータの前記第2のセットに関して第2のダウンリンク基準信号とのQCL関係を有することを示す、請求項44または45に記載のUE。
【請求項４７】
前記第2のダウンリンク基準信号が、追跡のための第2のRSを備える、請求項46に記載のUE。
【請求項４８】
前記第2のダウンリンク基準信号が、同期信号(SS)または物理ブロードキャストチャネル(PBCH)ブロックを備える、請求項46に記載のUE。
【請求項４９】
前記第1のCSI-RS構成が、前記第1のRSが定期的に送信される時間間隔をさらに指定する、請求項44から48のいずれか一項に記載のUE。
【請求項５０】
前記第1のCSI-RS構成が、時間領域における前記第1のRSの長さをさらに指定する、請求項44から48のいずれか一項に記載のUE。
【請求項５１】
QCLパラメータの前記第1のセットが、平均遅延、ドップラシフト、遅延スプレッド、または空間受信機パラメータを備える、請求項44から48のいずれか一項に記載のUE。
【請求項５２】
前記第1のCSI-RS構成を備えるシグナリングを受信することをさらに行うために、前記1つまたは複数のプロセッサが前記命令を実行する、請求項44から48のいずれか一項に記載のUE。
【請求項５３】
前記1つまたは複数のプロセッサが、
第2のCSI-RS構成に従って追跡するための第2のRSを受信させることをさらに行うために前記命令を実行し、前記第2のCSI-RS構成が前記第1のCSI-RS構成とは異なり、前記第2のCSI-RS構成が、
前記第2のRSを搬送するための2つの連続するスロット内のCSI-RSリソースの第2のセットであって、前記第2のCSI-RS構成に従って構成された複数の1ポートCSI-RSリソースを備える、CSI-RSリソースの第2のセットと、
QCLパラメータの第3のセットを備える第2のQCL構成であって、前記第2のRSがQCLパラメータの前記第3のセットに関して第2のDMRSとのQCL関係を有することを示す、第2のQCL構成と
を指定する、請求項44に記載のUE。
【請求項５４】
前記第2のRSがSSブロックまたはCSI-RSを備える、請求項53に記載のUE。
【請求項５５】
前記1つまたは複数のプロセッサが、
それが過ぎると前記第1のCSI-RS構成が期限切れになる時間期間を受信することをさらに行うために前記命令を実行する、請求項44に記載のUE。
【請求項５６】
前記1つまたは複数のプロセッサが、
前記第1のQCL構成に従って前記UEによって受信された第1のデータを復調することをさらに行うために前記命令を実行する、請求項44に記載のUE。
【請求項５７】
前記1つまたは複数のプロセッサが、
前記第1のRSおよび前記第1のQCL構成に基づいて同期推定を実行することをさらに行うために前記命令を実行する、請求項44に記載のUE。
【請求項５８】
前記1つまたは複数のプロセッサが、
前記第1のQCL構成に従ってチャネル推定を実行することをさらに行うために前記命令を実行する、請求項44に記載のUE。
【発明の詳細な説明】
【技術分野】
【０００１】
関連出願の相互参照
本出願は、は、2017年8月11日に提出された「System and method for time and frequency tracking signal with flexible configurations of one port CSI-RS」と題する米国仮出願第62/544,372号、および2018年8月10日に出願された「System and method for time and frequency tracking signal with flexible configurations of one port CSI-RS」と題する米国出願第16/101,278号の利益を主張し、その出願全体が参照により本明細書に組み込まれる。
【０００２】
本開示はワイヤレス通信に関し、具体的な実施形態では、1ポートCSI-RSの構成を使用して時間および周波数追跡信号を通信するためのシステムおよび方法に関する。
【背景技術】
【０００３】
ワイヤレス通信動作において、ユーザ機器(UE)によって実行される追跡機能は、細かい時間追跡、細かい周波数追跡、遅延スプレッド推定、およびドップラスプレッド推定を含み得る。
【０００４】
細かい時間追跡において、UEは最初に到着するパスを検出し得、それに基づいて、UEは一般に、データ信号対ノイズとシンボル間干渉比を最大化するためにその高速フーリエ変換(FFT)ウィンドウを最適に配置し得る。連続動作において、UEのモビリティと、送信機と受信機との間の残留発振器エラーのために、FFTウィンドウの位置がドリフトする場合がある。UEは、パス到着時間の検出された変化に基づいて、そのFFTウィンドウ位置を調整し得る。
【０００５】
細かい周波数追跡において、UEは送信機と受信機との間の周波数オフセットを検出し、それに応じて発振器を調整し得る。残留周波数エラーは、データシンボルの復調時に推定および補償され得る。高い信号対雑音比(SNR)および高いコードレートのデータ送信の場合は特に、残留周波数エラーの補償は非常に重要であり得る。補償されていない周波数エラーは、変調されたデータシンボルに位相エラーを課し、復号パフォーマンスの低下を引き起こす可能性がある。温度変化は、発振器の出力精度とUEの移動によって生じるドップラシフトに影響するため、UEは定期的に周波数オフセットを追跡し、対応する調整と補償を適用する場合がある。
【０００６】
遅延スプレッドは、UEが経験するワイヤレスマルチパスチャネルの分散性を決定する。遅延スプレッドが長いほど、チャネルの周波数選択性が高くなる。一般に、受信されたパイロット信号に基づくチャネル推定において周波数領域に沿って処理ゲインを最大化するために、UEは、チャネルのコヒーレント帯域幅内であれば、可能な限りの長さの線形フィルタリングを適用し得る。コヒーレント帯域幅は、チャネルの選択性に反比例する。したがって、遅延スプレッド推定は、チャネル推定フィルタ係数と長さの形成において重要な役割を果たし、したがって、チャネル推定とデータ復調のパフォーマンスに影響を与える。
【０００７】
ドップラスプレッドは通常、UEの移動速度とマルチパスの空間分布に比例する。より大きなドップラスプレッドは、より変化の速いワイヤレスマルチパスフェージングチャネルに対応する。チャネル推定は通常、チャネルコヒーレント時間制約内であれば、ノイズと干渉を抑制するために、より長いフィルタ長の時間領域においてフィルタリングを適用する。したがって、ドップラスプレッド推定は、UEチャネル推定パフォーマンスに影響を与える時間領域に沿った別の要因である。
【発明の概要】
【課題を解決するための手段】
【０００８】
1ポートCSI-RSの構成を使用して時間および周波数追跡信号を通信するためのシステムおよび方法を説明する本開示の実施形態によって、一般的に技術的利点が達成される。
【０００９】
本開示の一態様によれば、ネットワークコントローラによって、第1のチャネル状態情報-RS(CSI-RS)構成に従って追跡するための第1の基準信号(RS)を送信するステップを含む方法であって、第1のCSI-RS構成が、第1のRSを送信するための2つの連続するスロット内のCSI-RSリソースの第1のセットであって、第1のCSI-RS構成に従って構成される複数の1ポートCSI-RSリソースを備える、CSI-RSリソースの第1のセットと、QCLパラメータの第1のセットを備える第1の準コロケーション(QCL)構成であって、第1のRSが、QCLパラメータの第1セットに関して第1の復調基準信号(DMRS)とのQCL関係を有することを示す、第1のQCL構成とを指定する、方法が提供される。
【００１０】
任意で、前述の態様のうちのいずれかにおいて、CSI-RSリソースの第1のセットは4つの1ポートCSI-RSリソースを備え、4つの1ポートCSI-RSリソースは周波数領域において等間隔に配置される。
【００１１】
任意で、前述の態様のうちのいずれかにおいて、第1のQCL構成はQCLパラメータの第2のセットを備え、第1のQCL構成は、第1のDMRSがQCLパラメータの第2のセットに関して第2のダウンリンク基準信号とのQCL関係を有することを示す。
【００１２】
任意で、前述の態様のうちのいずれかにおいて、第2のダウンリンク基準信号は追跡のための第2のRSを備える。
【００１３】
任意で、前述の態様のうちのいずれかにおいて、第2のダウンリンク基準信号は、同期信号(SS)または物理ブロードキャストチャネル(PBCH)ブロックを備える。
【００１４】
任意で、前述の態様のうちのいずれかにおいて、第1のCSI-RS構成は、第1のRSが定期的に送信される時間間隔をさらに指定する。
【００１５】
任意で、前述の態様のうちのいずれかにおいて、第1のCSI-RS構成は、時間領域における第1のRSの長さをさらに指定する。
【００１６】
任意で、前述の態様のうちのいずれかにおいて、QCLパラメータの第1のセットは、平均遅延、ドップラシフト、遅延スプレッド、または空間受信機パラメータを備える。
【００１７】
任意で、前述の態様のうちのいずれかにおいて、本方法は、ネットワークコントローラによって、第1のCSI-RS構成をシグナリングするステップをさらに含む。
【００１８】
任意で、前述の態様のうちのいずれかにおいて、本方法は、ネットワークコントローラによって、第2のCSI-RS構成に従って追跡するための第2のRSを送信するステップであって、第2のCSI-RS構成が、第1のCSI-RS構成とは異なり、第2のCSI-RS構成が、第2のRSを送信するための2つの連続するスロット内のCSI-RSリソースの第2のセットであって、第2のCSI-RS構成に従って構成された複数の1ポートCSI-RSリソースを備える、CSI-RSリソースの第2のセットと、QCLパラメータの第3のセットを備える第2のQCL構成であって、第2のRSがQCLパラメータの第3のセットに関して第2のDMRSとのQCL関係を有することを示す、第2のQCL構成とを指定する、ステップをさらに含む。
【００１９】
任意で、前述の態様のうちのいずれかにおいて、第1のRSと第2のRSは同じユーザ機器(UE)に送信される。
【００２０】
任意で、前述の態様のうちのいずれかにおいて、第1のRSと第2のRSは異なる間隔で送信される。
【００２１】
任意で、前述の態様のうちのいずれかにおいて、第2のRSはSSブロックまたはCSI-RSを備える。
【００２２】
任意で、前述の態様のうちのいずれかにおいて、第1のRSは、全帯域、部分帯域、またはUEがスケジューリングしたデータ送信帯域幅を使用して送信される。
【００２３】
本開示の別の態様によれば、前述の態様のいずれかにおける方法を実行するために基地局が提供される。いくつかの実施形態では、基地局は、命令を備える非一時的メモリストレージと、メモリストレージと通信している1つまたは複数のプロセッサとを含み、1つまたは複数のプロセッサは、第1のチャネル状態情報-RS(CSI-RS)構成に従って追跡するための第1の基準信号(RS)を送信させるために命令を実行し、第1のCSI-RS構成が、第1のRSを送信するための2つの連続するスロット内のCSI-RSリソースの第1のセットであって、第1のCSI-RS構成に従って構成される複数の1ポートCSI-RSリソースを備える、CSI-RSリソースの第1のセットと、QCLパラメータの第1のセットを備える第1の準コロケーション(QCL)構成であって、第1のRSが、QCLパラメータの第1セットに関して第1の復調基準信号(DMRS)とのQCL関係を有することを示す、第1のQCL構成とを指定する。
【００２４】
本開示の別の態様によれば、ユーザ機器(UE)によって、第1のチャネル状態情報-RS(CSI-RS)構成に従って追跡するための第1の基準信号(RS)を受信するステップを含む方法であって、第1のCSI-RS構成が、2つの連続するスロット内のCSI-RSリソースの第1のセットであって、第1のCSI-RS構成に従って構成される複数の1ポートCSI-RSリソースを備える、CSI-RSリソースの第1のセットと、QCLパラメータの第1のセットを備える第1の準コロケーション(QCL)構成であって、第1のRSが、QCLパラメータの第1セットに関して第1の復調基準信号(DMRS)とのQCL関係を有することを示す、第1のQCL構成とを指定するステップを含む方法が提供される。
【００２５】
任意で、前述の態様のうちのいずれかにおいて、CSI-RSリソースの第1のセットは4つの1ポートCSI-RSリソースを備え、4つの1ポートCSI-RSリソースは周波数領域において等間隔に配置される。
【００２６】
任意で、前述の態様のうちのいずれかにおいて、第1のQCL構成はQCLパラメータの第2のセットを備え、第1のQCL構成は、第1のDMRSがQCLパラメータの第2のセットに関して第2のダウンリンク基準信号とのQCL関係を有することを示す。
【００２７】
任意で、前述の態様のうちのいずれかにおいて、第2のダウンリンク基準信号は追跡のための第2のRSを備える。
【００２８】
任意で、前述の態様のうちのいずれかにおいて、第2のダウンリンク基準信号は、同期信号(SS)または物理ブロードキャストチャネル(PBCH)ブロックを備える。
【００２９】
任意で、前述の態様のうちのいずれかにおいて、第1のCSI-RS構成は、第1のRSが定期的に送信される時間間隔をさらに指定する。
【００３０】
任意で、前述の態様のうちのいずれかにおいて、第1のCSI-RS構成は、時間領域における第1のRSの長さをさらに指定する。
【００３１】
任意で、前述の態様のうちのいずれかにおいて、QCLパラメータの第1のセットは、平均遅延、ドップラシフト、遅延スプレッド、または空間受信機パラメータを備える。
【００３２】
任意で、前述の態様のうちのいずれかにおいて、本方法は、UEによって、第1のCSI-RS構成を受信するステップをさらに含む。
【００３３】
任意で、前述の態様のうちのいずれかにおいて、本方法は、UEによって、第2のCSI-RS構成に従って追跡するための第2のRSを受信するステップであって、第2のCSI-RS構成が、第1のCSI-RS構成とは異なり、第2のCSI-RS構成が、2つの連続するスロット内のCSI-RSリソースの第2のセットであって、第2のCSI-RS構成に従って構成された複数の1ポートCSI-RSリソースを備える、CSI-RSリソースの第2のセットと、QCLパラメータの第3のセットを備える第2のQCL構成であって、第2のDMRSがQCLパラメータの第3のセットに関して第2のRSとのQCL関係を有することを示す、第2のQCL構成とを指定する、ステップをさらに含む。
【００３４】
任意で、前述の態様のうちのいずれかにおいて、第2のRSはSSブロックまたはCSI-RSを備える。
【００３５】
任意で、前述の態様のうちのいずれかにおいて、本方法は、UEによって、それが過ぎると第1のCSI-RS構成が期限切れになる時間期間を受信するステップをさらに含む。
【００３６】
任意で、前述の態様のうちのいずれかにおいて、本方法は、UEによって、第1のQCL構成に従ってUEによって受信された第1のデータを復調するステップをさらに含む。
【００３７】
任意で、前述の態様のうちのいずれかにおいて、本方法は、UEによって、第1のRSおよび第1のQCL構成に基づいて同期推定を実行するステップをさらに含む。
【００３８】
任意で、前述の態様のうちのいずれかにおいて、本方法は、UEによって、第1のQCL構成に従ってチャネル推定を実行するステップをさらに含む。
【００３９】
本開示の別の態様によれば、前述の態様のいずれかにおける方法を実行するためにユーザ機器(UE)が提供される。いくつかの実施形態では、UEは、命令を備える非一時的メモリストレージと、メモリストレージと通信している1つまたは複数のプロセッサとを含み、1つまたは複数のプロセッサは、第1のチャネル状態情報-RS(CSI-RS)構成に従って追跡するための第1の基準信号(RS)を受信させるために命令を実行し、第1のCSI-RS構成が、RSを搬送するための2つの連続するスロット内のCSI-RSリソースの第1のセットであって、第1のCSI-RS構成に従って構成される複数の1ポートCSI-RSリソースを備える、CSI-RSリソースの第1のセットと、QCLパラメータの第1のセットを備える第1の準コロケーション(QCL)構成であって、第1のRSが、QCLパラメータの第1セットに関して第1の復調基準信号(DMRS)とのQCL関係を有することを示す、第1のQCL構成とを指定する。
【００４０】
本開示およびその利点をより完全に理解するために、添付の図面と併せて以下の説明を参照する。
【図面の簡単な説明】
【００４１】
【図１】一実施形態のワイヤレス通信ネットワークを示す図である。
【図２】一実施形態の追跡基準信号(TRS)バースト構造を示す図である。
【図３】UEが複数の狭いビームで基地局と通信する一実施形態のワイヤレス通信ネットワークを示す図である。
【図４】広いTRSビームが通信に使用される場合の基準信号間の一実施形態の準コロケーション(QCL)関係を示す図である。
【図５】狭いTRSビームが通信に使用される場合の基準信号間の実施形態のQCL関係を示す図である。
【図６】一実施形態の1ポートCSI-RS構成を示す図である。
【図７】一実施形態の1ポートCSI-RS構成を示す図である。
【図８】一実施形態の1ポートTRS構成を示す図である。
【図９】別の実施形態の1ポートTRS構成を示す図である。
【図１０】一実施形態の1ポートTRS構成を示す図である。
【図１１】ワイヤレス通信のための一実施形態の方法のフローチャートである。
【図１２】ワイヤレス通信のための別の実施形態の方法のフローチャートである。
【図１３】ワイヤレス通信のための別の実施形態の方法のフローチャートである。
【図１４】ワイヤレス通信のための別の実施形態の方法のフローチャートである。
【図１５】一実施形態の通信システムを示す図である。
【図１６Ａ】一実施形態の電子デバイスを示す図である。
【図１６Ｂ】一実施形態の基地局を示す図である。
【図１７】一実施形態のコンピューティングシステムのブロック図である。
【発明を実施するための形態】
【００４２】
異なる図面中の対応する数字および記号は、特に明記しない限り、一般に対応する部分を指す。図面は、実施形態の関連する態様を明確に示すために描かれており、必ずしも縮尺通りに描かれていない。
【００４３】
本開示の実施形態の作成および使用は、以下で詳細に議論される。しかしながら、本明細書で開示される概念は多種多様な特定の状況において具現化することができ、本明細書で説明される特定の実施形態は単なる例示であり、特許請求の範囲を限定するものではないことを理解されたい。さらに、添付の特許請求の範囲によって定義される本開示の趣旨および範囲から逸脱することなしに、本明細書で様々な変更、置換、および改変を行うことができることを理解されたい。
【００４４】
本開示の実施形態は、ワイヤレス通信システム、たとえば、新しい無線(NR)通信システムにおいて追跡するための基準信号(RS)を構成および通信するための方法および装置を提供する。ワイヤレス通信システムにおけるユーザ機器(UE)は、ネットワークと通信するためにネットワークによって送信されたRSに基づいて、細かい時間追跡、細かい周波数追跡、遅延スプレッド推定、およびドップラスプレッド推定などの追跡機能を実行し得る。いくつかの実施形態では、追跡するためのRSは、1つまたは複数のCSI-RS構成に従って構成された複数の1ポートチャネル状態情報-RS(CSI-RS)リソースにおいて送信され得る。1つまたは複数のCSI-RS構成は、UEが、追跡するためのRSを受信し、追跡機能を実行するためにUEにシグナリングされ得る。
【００４５】
いくつかの実施形態では、ネットワークコントローラは、第1のCSI-RS構成に従って追跡するための第1のRSを送信し得る。第1のCSI-RS構成は、追跡のためにRSを送信するための2つの連続するスロット内のCSI-RSリソースのセットを指定し得る。CSI-RSリソースのセットは、第1のCSI-RS構成に従って構成された複数の1ポートCSI-RSリソースを含み得る。第1のCSI-RS構成はまた、QCLパラメータのセットを含む準コロケーション(QCL)構成を指定し得る。QCL構成は、第1のRSがQCLパラメータのセットに関して復調基準信号(DMRS)とのQCL関係を有していることを示す。ネットワークコントローラは、第1のCSI-RS構成とは異なる第2のCSI-RS構成に従って追跡するための第2のRSをさらに送信し得る。ネットワークコントローラは、第1および第2のCSI-RS構成の両方をUEにシグナリングし得る。UEは、第1のCSI-RS構成に従って追跡するための第1のRSを受信し、第2のCSI-RS構成に従って追跡するための第2のRSを受信し得る。
【００４６】
図1は、データを通信するためのネットワーク100を示している。ネットワーク100は、カバレッジエリア101を有する基地局110、複数のモバイルデバイス120、およびバックホールネットワーク130を含む。図示されるように、基地局110は、モバイルデバイス120から基地局110へ、およびその逆にデータを搬送する役割を果たすモバイルデバイス120とのアップリンク(破線)および/またはダウンリンク(点線)接続を確立する。アップリンク/ダウンリンク接続を介して搬送されるデータは、モバイルデバイス120間で通信されるデータ、ならびにバックホールネットワーク130を介してリモートエンド(図示せず)に/から通信されるデータを含み得る。本明細書で使用される「基地局」という用語は、拡張基地局(eNB)、マクロセル、フェムトセル、Wi-Fiアクセスポイント(AP)、または他のワイヤレス対応デバイスなどのネットワークへのワイヤレスアクセスを提供するように構成された任意のコンポーネント(または、コンポーネントの集合)を指す。基地局は、1つまたは複数のワイヤレス通信プロトコル、たとえばロングタームエボリューション(LTE)、LTE advanced(LTE-A)、高速パケットアクセス(HSPA)、Wi-Fi 802.11 a/b/g/n/acなどに従ってワイヤレスアクセスを提供し得る。本明細書で使用される「モバイルデバイス」という用語は、ユーザ機器(UE)、移動局(STA)、および他のワイヤレス対応デバイスなどの基地局とのワイヤレス接続を確立することができる任意のコンポーネント(または、コンポーネントの集合)を指す。いくつかの実施形態では、ネットワーク100は、継電器、低電力ノードなど、様々な他のワイヤレスデバイスを備え得る。
【００４７】
ネットワーク100内のUEは、細かい時間追跡、細かい周波数追跡、遅延スプレッド推定、およびドップラスプレッド推定などの様々な追跡機能を実行し得る。LTEでは、セル固有の基準信号(CRS)が常に各サブフレームにおいて送信され得、時間と周波数領域の両方において高密度の基準信号を提供する。受信機によって受信されたCRSに基づいて、シグナリングおよびデータ復調のために、細かい時間および周波数の同期が実行され得る。しかしながら、5G NRでは、常時接続のCRSは削除される。これは、パイロット信号の汚染を排除し、干渉を低減し、セルのオン/オフ操作を容易にするために実行され得る。CRSを使用して実行される追跡機能を置き換えるために、新しいUE固有の時間および周波数追跡基準信号(TRS)が導入された。TRSは、追跡用のRSとも呼ばれる。
【００４８】
図2は、実施形態のTRSバースト構造200を示している。TRSバーストは、ある期間中、たとえば、1つまたは複数の連続したスロットにおいて送信されるTRSを指し得る。一実施形態では、TRSバースト構造およびTRSバーストの送信を記述するために、以下のパラメータが使用され得る。
X:スロットの数に関するTRSバーストの長さ
Y:TRSバーストの送信周期(ミリ秒)
N:スロット内の直交周波数分割多重(OFDM)シンボルの数
B:リソースブロック(RB)の数に関するTRS送信帯域幅
Sf:TRSサブキャリア間隔
St:スロット内のTRSシンボル間隔
【００４９】
上述のパラメータは、TRSパラメータと呼ばれ得る。図2を参照すると、TRSバースト構造200は、Xの長さ(すなわち、この例では3つのスロット)を有するTRSバーストがYミリ秒ごとに送信されることを示している。この例における各正方形は、1つのスロットを表す。追跡ターゲットが異なると、TRSの時間および周波数密度に異なる最小要件が課される場合がある。たとえば、時間および遅延スプレッド追跡に使用されるTRSは、周波数領域におけるより高密度のパイロット(たとえば、TRS)、すなわち、より小さいサブキャリア間隔(Sf)、および特定の十分なTRS送信帯域幅(B)を必要とする。周波数追跡に使用されるTRSは、信号周波数密度と送信帯域幅の要件を緩和する可能性があるが、位相回転推定を改善するために、TRSが特定の十分な時間間隔(すなわち、St)を有するいくつかのOFDMシンボル上で送信されることが望ましい場合がある。
【００５０】
様々なシナリオもまた、所望のTRSパラメータの設定に影響する場合がある。たとえば、高速列車の場合、サービング基地局を通過する際にUEによって経験されるドップラシフトは、符号を突然変更する(すなわち、+または-)可能性があるが、同様の大きさのままである。UEの移動速度が速いため、UEがサービング基地局を通過する前後の2つのドップラシフトの絶対差は非常に大きくなる可能性がある。UEがドップラシフト(またはドップラシフト状態)を正しく推定し、対応する位相補償を適用するのを容易にするために、周波数追跡をターゲットとするTRSのより頻繁な送信が望ましい場合がある(すなわち、より小さいY、およびより大きいN)。システムのオーバーヘッドは、TRS送信が頻繁になると増加する場合がある。したがって、TRSはUE固有の方法で構成され、特定の周波数リソースで送信される必要があり得る。
【００５１】
3GPP NRはまた、たとえばミリ波スペクトルなどの高周波数帯域のワイヤレス通信もサポートしている。より高い周波数では、より高いパス損失を克服するために、ビーム形成送信が使用され得る。ビーム形成は、UE固有のダウンリンクおよびアップリンクデータ送信だけでなく、同期チャネルおよび制御チャネルなどの共通チャネルにも適用され得る。同期チャネルおよび制御チャネルは、カバレッジを改善するためにより広いビームで送信され得、データは、所望のデータスループットのためにより狭いビームで送信され得る。図3は、UE302が複数の狭いビームで基地局304と通信する一実施形態のワイヤレス通信ネットワーク300を示している。UE302は、異なる方向を指す狭いビームを使用して、リンク312(すなわち、ビームリンクペア)およびリンク314において基地局304と通信し得る。UEが使用するビーム幅に応じて、UEは異なるドップラシフト、遅延スプレッド、およびドップラスプレッドを観察し得る。場合によっては、たとえUEが同じビーム幅の狭いビームを使用していても、ビームが異なる方向を指している場合、UE追跡パラメータは異なる場合がある。
【００５２】
狭いビームまたは広いビームを使用する通信において基準信号を送信するために、準コロケーション(または、準コロケーション、QCL)仮定が行われ得る。QCLは、3GPP TR 38.802 V2.0.0、セクション6.1.6.5において定義されており、その全体が参照により本明細書に組み込まれ、QCLの定義は、「一方のアンテナポート上のシンボルが伝達されるチャネルのプロパティが、他方のアンテナポート上のシンボルが伝達されるチャネルから推測できる場合、2つのアンテナポートは準コロケートされていると言われる」である。定義されているQCLは、次の機能をサポートしている:
-ビーム管理機能:少なくとも空間パラメータを含む
-周波数/タイミングオフセット推定機能:少なくともドップラ/遅延パラメータを含む
-RRM管理機能:少なくとも平均ゲインを含む
【００５３】
QCL仮定は、エンティティ間のQCL関係、たとえば異なる基準信号を示すQCL構成と呼ばれ得る。「QCL仮定」および「QCL構成」という用語は、本開示全体にわたって交換可能に使用される。たとえば、QCL構成は、第1の基準信号が第2の基準信号とのQCL関係を有する(または、準コロケートされる)ことを示し得る。この場合、第1の基準信号によって必要とされる(たとえば、第1の基準信号の受信および復号に使用される)1つまたは複数のパラメータは、第2の基準信号の使用により取得(または、導出)され得る。したがって、QCL構成はまた、1つまたは複数のパラメータを含み得る。1つまたは複数のパラメータは、QCLパラメータと呼ばれ得る。別の作業では、QCL仮定は、1つまたは複数のQCLパラメータに関する2つの基準信号間のQCL関係を示すか、指定する。基準信号は、同期信号(SS)またはSSブロック、物理ブロードキャストチャネルブロック(PBCH)、チャネル状態情報基準照信号(CSI-RS)、復調基準信号(DMRS)、位相追跡基準信号(PTRS)、TRS、またはサウンディング基準信号(SRS)、あるいはワイヤレス通信において使用される任意の他の基準信号を含み得る。QCL仮定は、ビーム幅によって異なる場合がある。DMRSとTRSの間のQCL仮定は、狭いビームと広いビームの間のQCL仮定の結論によって異なる場合がある。狭いビームと広いビームの間で、同じQCL仮定または異なるQCL仮定が行われ得る。狭いビームと広いビームの間のパス遅延スプレッドの差とドップラスプレッドの差は、チャネル推定のパフォーマンスに影響を与える可能性がある。広いビームまたは狭いビーム通信の基準信号間に確立されたQCL仮定は、チャネル推定において非常に役立つ。
【００５４】
図4は、広いビームが通信に使用される場合のNR基準信号間のQCL仮定を示す図400である。たとえば、TRS、SSブロック、またはブロードキャストDMRSは、広いビームを使用して送信され得る。図4は、SSブロック402、DMRS404、CSI-RS406、TRS408、CSI-RS410、およびDMRS412間のQCL構成を示している。DMRS404は、ブロードキャストチャネル用である。すなわち、DMRS404は、TRSが構成される前に、システム情報ブロック(SIB)、無線リソース制御(RRC)シグナリング、ページングなどの復調に使用されるDMRSである。CSI-RS406は、ビーム形成のために送信される。CSI-RS410は、チャネル推定のために送信される。DMRS412は、ユニキャストチャネルにおいて送信される信号の復調に使用される。第1の基準信号(たとえば、SSブロック402)から始まり、第2の基準信号(たとえば、DMRS404)で終わる矢印は、第2の基準信号が1つまたは複数のQCLパラメータに関して第1の基準信号とのQCL関係を有することを示す。1つまたは複数のQCLパラメータ(たとえば、平均遅延、ドップラシフト、遅延スプレッド、および空間RX)が矢印上に示されており、第2の基準信号によって必要とされる1つまたは複数のQCLパラメータは、第1の基準信号を使用して導出され得ることを示している。
【００５５】
図示されるように、DMRS404は、SSブロック402とのQCL関係を有するように構成される。DMRS404の平均遅延、ドップラシフト、遅延スプレッド、および空間RXは、SSブロック402に基づいて導出され得る。同様に、CSI-RS406およびTRS408は、それぞれSSブロック402とのQCL関係を有する。CSI-RS 406によって必要とされる平均遅延、ドップラシフト、および粗い空間RXは、SSブロック402に基づいて導出され得る。TRS408によって必要とされる平均遅延、ドップラシフト、および空間RXはSSブロック402から導出され得る。CSI-RS410は、CSI-RS406およびTRS408とそれぞれQCL関係を有する。CSI-RS410は、CSI-RS406に基づいて導出された空間RXを使用して受信され、TRS408からの平均遅延、ドップラシフト、および遅延スプレッドを使用し得る。DMRS412は、TRS408およびCSI-RS410とそれぞれQCL関係を有する。DMRS412は、CSI-RS410に基づいて導出された空間RXを使用して受信され得る。DMRS412はまた、TRS408に基づいて導出された平均遅延、ドップラシフト、ドップラスプレッド、および遅延スプレッドも受信され得る。
【００５６】
図5は、狭いビームが通信に使用される場合のNR基準信号間のQCL仮定を示す図500である。図5は、SSブロック502、DMRS504、CSI-RS506、TRS508、CSI-RS510、およびDMRS512間のQCL構成を示す。図4と同様に、DMRS504は、TRSが構成される前に送信されるブロードキャストチャネル、たとえば物理ブロードキャストチャネル(PBCH)内の信号の復調用である。CSI-RS506は、ビーム形成のために送信される。CSI-RS510は、チャネル推定のために送信される。DMRS512は、ユニキャストチャネルにおいて送信される信号の復調に使用される。第1の基準信号から始まり、第2の基準信号で終わる矢印は、第2の基準信号が1つまたは複数のQCLパラメータに関して第1の基準信号とのQCL関係を有することを示す。矢印上に示される1つまたは複数のQCLパラメータは、第2の基準信号によって必要とされる1つまたは複数のQCLパラメータは、第1の基準信号を使用して導出され得ることを示している。図5は、基準信号が、TRSを除いて図4に示されるものと同様のQCL構成を有することを示している。図5において、TRS508は、SSブロック502およびCSI-RS506とそれぞれQCL関係を有する。TRS508は、SSブロック502に基づいて導出されたドップラシフトを使用して受信されてもよく、CSI-RS506に基づいて導出された平均遅延および空間RXを使用して受信されてもよい。データ送信は複数の狭いビームを使用することができ、追跡のために複数の狭いTRSビームが必要になる場合がある。両方のシナリオをサポートするために、TRSとそれらのQCL仮定または関連付けの構成が柔軟でなければならない。柔軟なTRS構成を有することが好ましい。
【００５７】
現在使用されているビーム幅に応じて、またUEが通信している狭いビームリンクペアの数に応じて、ビーム形成の追跡をサポートするためにTRSの複数の送信が必要になる場合がある。各ビーム幅と各狭いビーム方向に対して固定周期TRSを送信することは実用的ではない場合がある。TRSの送信および構成は、UE固有で構成可能である必要がある。
【００５８】
したがって、TRS送信および構成は、UE固有で構成可能であることが理解されよう。しかしながら、現在の3GPP NRにおいては、TRSとして使用される完全に新しいタイプの信号が定義される必要がある。様々な追跡ターゲット、展開シナリオ、およびビームフォーミングをカバーするために、様々な信号パターン、送信時間オフセット、および周期性が設計される必要がある場合がある。TRS送信は、たとえばSS、DMRS、データなどの他の信号の送信と衝突する可能性があるため、衝突およびレートマッチングを処理するためにルールも定義される必要がある場合がある。
【００５９】
TRSおよび関連付けられるルールの完全な新しいセットを設計することによって引き起こされる複雑さを低減するために、本開示の実施形態は、複数の既存のCSI-RS、たとえば1ポートCSI-RSを集約することによってTRSを形成する。言い換えれば、TRSは、複数のCSI-RS構成、たとえば、1ポートCSI-RS構成に従って構成され得る。1ポートCSI-RSは、1つのアンテナポートを介して送信されるCSI-RSを指す。TRS構成は、複数のCSI-RS構成、たとえば1ポートCSI-RS構成を集約することによって構築され得る。TRS構成は、CSI-RSを送信するための構成を含むため、本開示では一般にCSI-RS構成とも呼ばれ得る。TRS構成によれば、TRS信号は、CSI-RSを送信するための複数の1ポートCSI-RS構成に従って定義されたリソース内の単一のアンテナポートを介して送信され得る。結果として得られる集約されたTRS(新しいTRSと呼ばれる)は、1つまたは複数の特定の追跡機能を提供する新しい1ポートTRSと見なされ得る。新しいTRSは、いくつかのパラメータに関してNR SSバーストとの粗い準コロケーション(QCL)関係を有すると仮定され得る。たとえば、新しい(1ポート)TRSは、周波数オフセットおよび粗い時間/ドップラスプレッドの観点から、NR-SSバーストと準コロケートであると仮定され得る。新しいTRSはまた、UEがチャネル推定とデータ復調を実行するために、たとえば、細かい時間、遅延スプレッド、およびドップラスプレッドに関して特定のDMRSポートと準コロケートしていると仮定され得る。TRSを送信するために1ポートCSI-RS構成の集約を使用して、TRS密度要件が柔軟に構成され、満たされ得る。様々なCSI-RS設計機能も再利用され、たとえば、柔軟な周期性、レートマッチング、競合ルール、および複数の構成が再利用され得る。設計される必要のあるものは、集約ルール、集約シグナリング、ならびにQCL仮定およびTRS構成シグナリングを含み得る。設計と実装の複雑さは大幅に低減され得る。
【００６０】
CSI-RS構成は、CSI-RSを送信するために、一定の期間、たとえば2つの連続したスロット内、またはリソースブロック(RB)ごとにリソースを指定し得る。単一のアンテナポートを介してCSI-RSを送信するためのリソースを指定するCSI-RS構成は、本開示全体を通じて1ポートCSI-RS構成と呼ばれ得る。RBは、複数のリソース要素を含み得、各リソース要素は、時間領域において1つのOFDMシンボルを占有し、周波数領域において1つのサブキャリアを占有する。RBは、時間領域において1スロット(たとえば、0.5ミリ秒)の12の連続したサブキャリアで構成され得る。スロットの例は、14個のOFDMシンボルを含み得る。本開示の実施形態では、RBまたはスロットの様々な構成が使用され得る。
【００６１】
図6は、一実施形態のRB600の図を示している。図6は、時間領域符号分割多重化(CDM)CSI-RSのための1ポートCSI-RS構成を示している。CDM CSI-RSは、CDMを使用した通信用のCSI-RSを指す。RB600は、時間領域に14個のOFDMシンボルを含み、周波数領域に12個のサブキャリアを含む。各正方形はリソース要素を表す。「ci」、i=0、1、...19は、1ポートCSI-RS構成iを表す。ciでマーク付けされたリソース要素は、リソース要素が対応する1ポートCSI-RS構成iに従ってCSI-RSを送信するように構成されていることを示す。たとえば、c0でマーク付けされたリソース要素(OFDMシンボル5〜6およびサブキャリア9)は、1ポートCSI-RS構成0に従って1つのアンテナポートを介してCSI-RSを送信するように構成される。c10でマーク付けされたリソース要素(OFDMシンボル5〜6およびサブキャリア3)は、1ポートCSI-RS構成10に従って1つのアンテナポートを介してCSI-RSを送信するように構成される。c12でマーク付けされたリソース要素(OFDMシンボル2〜3およびサブキャリア5)は、1ポートCSI-RS構成12に従って1つのアンテナポートを介してCSI-RSを送信するように構成される。図6は、20個の異なる1ポートCSI-RS構成(すなわち、構成c0〜c19)を示している。各1ポートCSI-RS構成は、アンテナポートごとにCSI-RSを送信するために、RBごとに2つのリソース要素を指定する。
【００６２】
図7は、別の実施形態のRB700の図を示している。図7は、非CDM CSI-RSの1ポートCSI-RS構成を示している。非CDM CSI-RSは、CDMを使用しない通信用のCSI-RSを指す。たとえば、周波数分割多重化(FDM)、または時分割多重化(TDM)、あるいは他の多重化技法が通信において使用され得る。図6におけるRB600と同様に、RB700は、時間領域に14個のOFDMシンボルを含み、周波数領域に12個のサブキャリアを含む。各四角はリソース要素を表す。「ci」、i=0、1、...15は、1ポートCSI-RS構成iを表す。ciでマーク付けされたリソース要素は、リソース要素が対応する1ポートCSI-RS構成iに従って非CDM CSI-RSを送信するように構成されていることを示す。以下の説明では、便宜上のみ「非CDM」が省略されている。たとえば、c0でマーク付けされたリソース要素(OFDMシンボル5およびサブキャリア3、7、11)は、1ポートCSI-RS構成0に従って1つのアンテナポートを介してCSI-RSを送信するように構成される。1ポートCSI-RS構成0は、リソース要素(OFDMシンボル5およびサブキャリア3、7、11)がアンテナポートごとにCSI-RSを送信するように構成されることを指定する。同様に、c14でマーク付けされたリソース要素(OFDMシンボル3およびサブキャリア1、5、9)は、1ポートCSI-RS構成14に従って1つのアンテナポートを介してCSI-RSを送信するように構成される。1ポートCSI-RS構成14は、リソース要素(OFDMシンボル3およびサブキャリア1、5、9)がアンテナポートごとにCSI-RSを送信するように構成されることを指定する。この例では、各1ポートCSI-RS構成は、アンテナポートごとにCSI-RSを送信するために、RBごとに3つのリソース要素を指定する。
【００６３】
定義されている様々なCSI-RS構成(たとえば、1ポートCSI-RS構成)と、定義される新しいCSI-RS構成がある。TRSが送信されるTRS構成を構築するために、これらのCSI-RS構成が使用され得る。いくつかの実施形態では、TRS構成は、複数の1ポートCSI-RS構成を使用して構築され得る。複数の1ポートCSI-RS構成は、CDMまたは非CDM CSI-RSの送信用であり得る。すなわち、TRS構成は、複数の1ポートCSI-RS構成の集約によって構築される。これは、構築されたTRS構成に従って、複数の1ポートCSI-RS構成に従ってCSI-RS送信用に構成されたCSI-RSリソースにおいて追跡用の基準信号が送信され得ることを意味する。たとえば、図6に示される1ポートCSI-RS構成c0、c2、およびc4は、TRS構成を形成するために集約され得る。この形成されたTRS構成に従って、TRSは、図6のRBごとにc0、c2、およびc4によってマーク付けされたリソース要素において送信され得る。複数の1ポートCSI-RS構成を集約することによって構成されるTRS構成は、1ポートTRS構成と呼ばれ得る。1ポートTRS構成に従って構成されたTRSは、1つのアンテナポートを介して送信される。したがって、TRSは1ポートTRSと呼ばれ得る。
【００６４】
いくつかの実施形態では、異なる1ポートCSI-RS構成の集約を指定するためのルールが定義され得る。たとえば、集約ルールは、RBごとにTRSを搬送するためのリソース要素が、時間領域において、周波数領域において、またはその両方において、一定の距離(たとえば、最大距離または最小距離)があることを必要とする場合がある。別の例では、集約ルールは、リソース要素が時間領域において、周波数領域において、またはその両方において、均等に配置される必要があるかどうかを指定し得る。集約ルールに基づいて、異なるTRS構成を形成するために、異なる1ポートCSI-RS構成が選択されて集約され得る。
【００６５】
TRS構成は、TRS構成を形成するために使用される1ポートCSI-RS構成を示し得る。1ポートCSI-RS構成の各々は、図6または図7に示されるように、c0、c1、...、cnなどの構成番号が割り当てられ得る。各構成番号は、複数の1ポートCSI-RS構成から1ポートCSI-RS構成を一意に識別する。TRS構成は、割り当てられた構成番号を使用して、1ポートCSI-RS構成を示し得る。1ポートCSI-RS構成の各々は、1ポートCSI-RS構成を示すことによって、CSI-RSを送信するように構成されたリソース(たとえば、RBごとに1つまたは複数のリソース要素)を指定するため、その結果、1ポートCSI-RS構成を集約することによって形成されるTRS構成は、1ポートCSI-RS構成によって指定される複数のリソースを指定する。次いで、TRSは、TRS構成に従って複数のリソース上で送信され得る。
【００６６】
TRS構成は、QCL仮定またはQCL構成をさらに含み得る。QCL構成は、TRS構成に従って送信されるTRSが、QCL構成およびQCL関係に関連付けられるQCLパラメータに関して、別の基準信号と、または特定のアンテナポートにおける別の基準信号とのQCL関係を有することを示し得る。一例では、QCL構成は、TRSがQCL関係を有する基準信号と、QCL構成および関係に関連付けられる1つまたは複数のQCLパラメータとを示し得る。図4および図5に示されるように、TRSは、SSブロックまたはCSI-RSとのQCL関係を有し得る。一例では、QCL構成は、TRSがドップラシフトに関して番号kのSSブロックとのQCL関係を有し、TRSが平均遅延に関してCSI-RSとのQCL関係を有することを示し得る。この場合、QCL構成は、TRSがQCL関係を有する番号kのSSブロックと、QCL構成およびQCL関係に関連付けられるQCLパラメータであるドップラシフトとを示し得る。QCL構成はまた、CSI-RSおよび関連付けられるQCLパラメータ、すなわち平均遅延を示し得る。QCL構成は、ポートに関する情報、たとえば、QCL関係に関連付けられるDMRSポートまたはCSI-RSポートをさらに含み得る。
【００６７】
TRS構成はまた、TRSを送信するための帯域幅、TRSを送信するための周期性、サブキャリア間隔、TRSの長さ(たとえば、TRSバースト)、または図2に関して説明されるようなパラメータなど、TRSの送信を構成するために使用され得る他のパラメータを含み得る。TRSを送信するための帯域幅は、全帯域、部分帯域、またはUEがスケジューリングしたデータ送信帯域幅を含み得る。
【００６８】
TRS構成は、たとえばRRCシグナリングまたはブロードキャストチャネルにおいてUEにシグナリングされ得る。たとえば、DMRSポートまたはCSI測定用のCSI-RSポートなどの関連するQCLパラメータおよび関連付けられるポートをさらに含むQCL仮定を含むTRS構成は、ネットワークノードからUEにシグナリングされ得る。UEのために構成された複数のTRS構成の場合、複数のTRS構成がUEにシグナリングされ得る。UEは、TRS構成のシグナリングを受信し得、QCL仮定およびQCL仮定とTRS信号との間の関連付けを取得し、関連付けられるTRS信号から1つまたは複数のQCLパラメータを駆動し、対応するDMRSポートまたはCSI-RSポートの受信時に適用される。
【００６９】
図8は、実施形態のRB800の図を示している。RB800は、図6のRB600に類似している。図8は、時間領域CDM CSI-RSの複数の1ポートCSI-RS構成を集約することによって形成されたTRS構成を示している。一例としてLTEの1ポート時間領域CDM CSI-RSパターンを使用して、図6に示される4つの1ポートCSI-RS構成を集約することによってTRS構成が構築され得る。この例では、TRS構成は、1ポートCSI-RS構成c0、c2、c10、およびc14を使用して構築される。次いで、TRSは、これらの1ポートCSI-RS構成によって指定されたリソース内の1ポートCSI-RS構成c0、c2、c10、およびc14に従って送信され得る。
【００７０】
TRS構成は、1つまたは複数のあらかじめ定義されたルールが満たされている限り、たとえば図6に示されるような任意の4つの1ポート時間領域CDM CSI-RS構成を集約することによって形成され得る。様々なルールが定義され得る。いくつかの実施形態では、TRS構成を構築するための時間領域CDM CSI-RSの4つの1ポートCSI-RS構成の集約は、以下のルール(すなわち、ルール1〜8)に従い得る。
ルール1:1つのOFDMシンボルにおけるTRS信号は、周波数領域において等間隔に配置される必要がある。たとえば、追跡用の基準信号を送信するために、リソース要素c2、c8、c14、c17が使用され得る。それらは周波数領域において等間隔に配置される。
ルール2:TRSを搬送する隣接するOFDMシンボルは、以下のルールを満たす必要がある:
-2つの隣接するOFDMシンボル間の最小距離(St_minによって表される)は、St_min<=Nminを満たし、Nminは、OFDMシンボルのあらかじめ定義された最小数である。
-2つの隣接するOFDMシンボル間の最大距離(St_maxによって表される)は、Nmax_l=<St_max<=Nmax_rを満たし、Nmax_lおよびNmax_rは、OFDMシンボルのあらかじめ定義された数である。
-Nmin、Nmax_l、およびNmax_rは、追跡ターゲットと追跡シナリオに依存する。
ルール3:集約された1ポートCSI-RS構成によって指定されたリソース要素のサブキャリアは、周波数領域に沿って整列される。すなわち、リソース要素は、異なる1ポートCSI-RS構成にわたって周波数領域において整列される必要がある。たとえば、図8に示されるように、1ポートCSI-RS構成0(すなわち、構成c0)によって指定されたリソース要素810は、周波数領域内の1ポートCSI-RS構成2(すなわち、構成c2)によって指定されたリソース要素812と整列される(すなわち、同じサブキャリア9において)。同様に、1ポートCSI-RS構成10(すなわち、構成c10)によって指定されたリソース要素814は、周波数領域内の1ポートCSI-RS構成14(すなわち、構成c14)によって指定されたリソース要素816と整列される(すなわち、同じサブキャリア3において)。
ルール4:TRS帯域幅は25RBである。
ルール5:TRS送信周期は10ミリ秒である。
ルール6:構成されたTRSは、粗い時間/ドップラスプレッドおよび細かい周波数オフセットに関してSSを有するQCLと仮定される。すなわち、構成されたTRSは、デフォルトで、粗い時間/ドップラスプレッドおよび細かい周波数オフセットに関してSSブロックとのQCL関係を有するように構成される。
ルール7:構成されたTRSは、細かい時間/ドップラスプレッドおよび細かい周波数オフセットに関して、特定のDMRSポートを有するQCLであると仮定される。すなわち、構成されたTRSは、デフォルトで、細かい時間/ドップラスプレッドおよび細かい周波数オフセットに関してDMRSポートとのQCL関係を有するように構成される。
ルール8:UEは、集約されたTRS信号を1ポート信号として仮定し、UEにシグナリングされたQCL仮定に従ってのみチャネル推定とデータ復調を支援する必要がある。
【００７１】
ビーム管理および時間/周波数追跡を容易にするために、1ポート非CDM CSI-RSが3GPP NRにおいて定義され得る。この場合、RB(または、2つの連続したスロット)ごと、およびCSI-RSを送信するように構成されたOFDMごとのREの数は3以上であり得る。たとえば、図7に示されるように、1ポートCSI-RS構成0は、アンテナポートごとにCSI-RSを送信するために、RBごとに3つのリソース要素(OFDMシンボル5およびサブキャリア3、7、11において)を指定する。いくつかの実施形態では、TRS構成は、2つの1ポート非CDM CSI-RS構成を集約することによって構築され得る。
【００７２】
図9は、一実施形態のRB900の図を示している。RB900は、図7のRB700に類似している。図9は、2つの1ポート非CDM CSI-RS構成を集約することによって形成されたTRS構成を示している。この例では、TRS構成を形成するために、図7に示されるような1ポート非CDM CSI-RS構成c2およびc8が集約され、TRSは、TRS構成に従って送信され得る。すなわち、TRSは、1ポート非CDM CSI-RS構成c2およびc8によって指定されるリソース要素912〜920において搬送され得る。
【００７３】
TRS構成は、あらかじめ定義されたルールを満たすことができる限り、たとえば図7に示されるような任意の2つの1ポート非CDM CSI-RS構成を集約することによって形成され得る。いくつかの実施形態では、TRS構成を構築するための2つの1ポート非CDM CSI-RS構成の集約は、以下のルール(すなわち、ルール1〜8)に従い得る。
ルール1:1つのOFDMシンボルにおけるTRS信号は、周波数領域において等間隔に配置される。これは、1ポート非CDM CSI-RS構成の設計によって自然に満たされるはずである。周波数においてより密度の高いTRSが必要な場合は、ルール1が満たされている限り、より多くの1ポート非CDM CSI-RS構成が周波数領域に沿って集約され得る。すなわち、ルール1が満たされている場合、TRS構成を構築するために3つ以上の1ポート非CDM CSI-RS構成が集約され得る。
ルール2:TRSを搬送する隣接するOFDMシンボルは、以下のルールを満たす必要がある:
-2つの隣接するOFDMシンボル間の距離(Stによって表される)は、Nl=<St<=Nrを満たし、NlおよびNrは、OFDMシンボルのあらかじめ定義された数である。
ルール3:集約された1ポートCSI-RS構成によって指定されたリソース要素のサブキャリアは、周波数分解能を向上させるために周波数領域において互い違いに配置される。たとえば、図9に示されるように、1ポート非CDM CSI-RS構成c2およびc8によって指定されるリソース要素912〜920は、周波数領域において互い違いに配置される(すなわち、それぞれサブキャリア9、7、5、3、1において)。
ルール4:TRS送信帯域幅は50RBである。
ルール5:TRS送信周期は160ミリ秒である。
ルール6:構成されたTRSは、粗い時間/遅延スプレッドに関してSSを有するQCLと仮定される。すなわち、構成されたTRSは、デフォルトで、粗い時間/遅延スプレッドに関してSSブロックとのQCL関係を有するように構成される。
ルール7:構成されたTRSは、細かい時間/遅延スプレッドに関して、特定のDMRSポートを有するQCLであると仮定される。すなわち、構成されたTRSは、デフォルトで、細かい時間/遅延スプレッドに関して特定のDMRSポートとのQCL関係を有するように構成される。
ルール8:UEは、集約されたTRS信号を1ポート信号として仮定し、UEにシグナリングされたQCL仮定に従ってのみチャネル推定とデータ復調を支援する必要がある。
【００７４】
いくつかの実施形態では、UEは、異なるパラメータを追跡するための集約された1ポートCSI-RS構成の複数のセットを使用して構成されたTRSを受信し得る。1ポートTRS構成を形成し、それによって複数のTRS構成を形成するために、集約された1ポートCSI-RS構成の複数セットの各々が使用され得る。UEは、複数のTRS構成のうちの1つまたは複数に従って構成されたTRSを受信するように構成され得る。
【００７５】
図10は、TRSを構成するために使用される集約された1ポートCSI-RS構成の2つのセットを示している。UEは、TRSを受信するための集約された1ポートCSI-RS構成の2つのセットで構成され得る。図10は、集約された1ポートCSI-RS構成の第1のセット1010と、集約された1ポートCSI-RS構成の第2のセット1050とを示している。集約された1ポートCSI-RS構成の第1のセット1010は、第1のTRS構成を構築するために使用され得、集約された1ポートCSI-RS構成の第2のセット1050は、第2のTRS構成を構築するために使用され得る。
【００７６】
図10に示されるように、集約された1ポートCSI-RS構成の第1のセット1010は、4つの1ポート、非CDM CSI-RS構成、すなわち、c1、c5、c9、およびc13を含む。集約された1ポートCSI-RS構成の第1のセット1010(すなわち、第1のTRS構成)に従って構成されたTRSは、c1、c5、c9、およびc13でマーク付けされたリソース要素において送信される。第1のTRS構成に従って構成されたTRSの送信周期は、20ミリ秒に設定され得る。第1のTRS構成は、QCL仮定を含み得る。QCL仮定は、第1のTRS構成に従って送信されたTRSが、粗い時間/ドップラスプレッドに関してSSブロックkとのQCL関係を有することを指定し得る。QCL仮定はまた、TRS信号が、細かい周波数オフセット、ならびに時間およびドップラスプレッドに関してDMRSポートmとのQCL関係を有することを指定し得る。
【００７７】
集約された1ポートCSI-RS構成の第2のセット1050は、2つの1ポート、非CDM CSI-RS構成、すなわち、c2およびc8を含む。集約された1ポートCSI-RS構成の第2のセット1050(すなわち、第2のTRS構成)に従って構成されたTRSは、c2およびc8でマーク付けされたリソース要素において送信される。第2のTRS構成に従って構成されたTRSの送信周期は、160ミリ秒に設定され得る。第2のTRS構成は、QCL仮定を含み得、QCL仮定は、第2のTRS構成に従って送信されたTRSが、遅延スプレッドに関してSSブロックkとのQCL関係を有することを指定し得る。QCL仮定はまた、TRSが、細かい遅延スプレッドに関してDMRSポートmとのQCL関係を有することを指定し得る。
【００７８】
図11は、ワイヤレス通信のための実施形態の方法1100のフローチャートを示している。この例では、TRS構成は、1ポートCSI-RS構成の集約を通じて構築される。図示されるように、ステップ1102において、UE1150は、ネットワークノード1152から1つまたは複数のSSブロックを受信する。UEは、受信した1つまたは複数のSSブロックに基づいて粗い時間および周波数同期を取得し得る。
【００７９】
ステップ1104において、ネットワークノード1152は、たとえばRRCシグナリングまたはブロードキャストメッセージを通じて、1つまたは複数のTRS構成でUE1150にシグナリングする。TRS構成は、たとえば、図8〜図10に示されるように、複数の1ポートCSI-RS構成を集約することによって構築され得る。TRS構成は、集約の詳細、QCL仮定、およびTRS送信周期性を含み得る。集約の詳細は、TRS構成を構築するために集約される1ポートCSI-RS構成を示し得る。たとえば、集約の詳細は、1ポートCSI-RS構成を識別する識別子(たとえば、c0、c1など)を含む。識別子はまた、1ポートCSI-RS構成に割り当てられた番号(たとえば、0、1、2など)であり得る。識別子は、複数の1ポートCSI-RS構成から1ポートCSI-RS構成を識別する。集約の詳細はまた、1ポートCSI-RS構成によって指定されたRBごとのリソース要素を示し得る。
【００８０】
ステップ1106において、UE1150は、1つまたは複数のTRS構成を取得する。UE1150は、SSブロックに基づいて取得された粗い時間および周波数同期を利用することによって、ブロードキャストメッセージまたはRRCシグナリングを受信および復号し、1つまたは複数のTRS構成を取得し、1つまたは複数のTRS構成に従ってTRSを受信するために準備し得る。
【００８１】
ステップ1108において、ネットワークノード1152は、1つまたは複数のTRS構成に従って、たとえば定期的にTRSを送信し得る。TRSは、単一のアンテナポートを介してTRS構成に従って送信され得る。第1のアンテナポートを介して送信される第1のTRSは、第2のアンテナポートを介して送信される第2のTRSと同じTRS構成または異なるTRS構成を有し得る。
【００８２】
ステップ1110において、UE1150は、ネットワークノード1152によって定期的に送信されるTRSを使用して、さらなる同期推定、およびネットワークノード1152との通信のための他のパラメータ推定を実行し得る。たとえば、UE1150は、TRS構成において指定された粗いQCL仮定(たとえば、TRSはSSブロックとのQCL関係を有する)に基づいて同期推定を実行し、粗い時間および周波数同期を達成し得る。
【００８３】
ステップ1112において、ネットワークノード1152は、データ(たとえば、物理ダウンリンク共有チャネル(PDSCH))を送信し得る。データは、1つまたは複数のTRS構成において指定されるQCL仮定を使用して復調され得る。たとえば、データは、TRS構成に従って送信されるTRSに基づいて導出される復調パラメータに従ってUEによって復調され得る。
【００８４】
ステップ1114において、UE1150は、TRS構成において指定された1つまたは複数のQCL仮定を使用して、チャネル推定(UE1150とネットワークノード1152との間の通信用)およびデータ復調(たとえば、UE1150によって受信されたデータ用)を実行し得る。
【００８５】
ステップ1116において、ネットワークノード1152は、UE1150に、ネットワークノード1152によって送信されるTRS構成の有効期限をシグナリングし得る。たとえば、ネットワークノード1152は、たとえば、RRCシグナリングを通じて、現在のTRS構成は、一定期間内に期限切れになることをシグナリングし得る。
【００８６】
ステップ1118において、ネットワークノード1152は、UE1150へのTRS(たとえば、定期的なTRS)の送信を停止し得る。
【００８７】
ステップ1120において、UE1150は、SSブロックから導出された粗い同期にフォールバックし得る。
【００８８】
ステップ1122において、UE1150は、TRS構成および送信がない場合、SSブロックから導出された粗い同期のみでチャネル推定および信号復調を実行し得る。
【００８９】
図12は、ワイヤレス通信のための実施形態の方法1200のフローチャートを示している。方法1200は、ネットワークコントローラなどのネットワークノード、または基地局において実行される動作を示し得る。図示されるように、ステップ1202において、方法1200は、第1のチャネル状態情報-RS(CSI-RS)構成に従って追跡するための第1の基準信号(RS)を送信する。第1のCSI-RS構成は、第1のRSを送信するための2つの連続するスロット内のCSI-RSリソースの第1のセットを指定し得る。CSI-RSリソースの第1のセットは、第1のCSI-RS構成に従って構成された複数の1ポートCSI-RSリソースを含み得る。第1のCSI-RS構成はまた、QCLパラメータの第1のセットを含む第1の準コロケーション(QCL)構成を指定し得る。第1のQCL構成は、第1のRSがQCLパラメータの第1のセットに関して第1の復調基準信号(DMRS)とのQCL関係を有していることを示す。いくつかの実施形態では、方法1200はまた、第2のCSI-RS構成に従って追跡するための第2のRSを送信し得る。第2のCSI-RS構成は、第1のCSI-RS構成とは異なる場合がある。第2のCSI-RS構成は、第2のRSを送信するための2つの連続するスロット内のCSI-RSリソースの第2のセットを指定し得、CSI-RSリソースの第2のセットは、第2のCSI-RS構成に従って構成された複数の1ポートCSI-RSリソースを含む。第2のCSI-RS構成は、QCLパラメータの第2のセットを含む第2のQCL構成を指定し得、第2のQCL構成は、第2のRSがQCLパラメータの第2のセットに関して第2のDMRSとのQCL関係を有することを示す。
【００９０】
図13は、ワイヤレス通信のための実施形態の方法1300のフローチャートを示している。方法1300は、UEにおいて実行される動作を示し得る。図示されるように、ステップ1302において、方法1300は、第1のチャネル状態情報-RS(CSI-RS)構成に従って追跡するための第1の基準信号(RS)を受信する。第1のCSI-RS構成は、2つの連続するスロット内のCSI-RSリソースの第1のセットを指定し得る。CSI-RSリソースの第1のセットは、第1のCSI-RS構成に従って構成された複数の1ポートCSI-RSリソースを含む。第1のCSI-RS構成はまた、QCLパラメータの第1のセットを含む第1の準コロケーション(QCL)構成を指定し得る。第1のQCL構成は、第1のRSがQCLパラメータの第1のセットに関して第1の復調基準信号(DMRS)とのQCL関係を有していることを示す。いくつかの実施形態では、方法1300はまた、第2のCSI-RS構成に従って追跡するための第2のRSを受信し得る。第2のCSI-RS構成は、2つの連続するスロット内のCSI-RSリソースの第2のセットを指定し得、CSI-RSリソースの第2のセットは、第2のCSI-RS構成に従って構成された複数の1ポートCSI-RSリソースを含む。第2のCSI-RS構成はまた、QCLパラメータの第2のセットを含む第2のQCL構成を指定し得る。第2のQCL構成は、第2のRSがQCLパラメータの第2のセットに関して第2のDMRSとのQCL関係を有することを示す。
【００９１】
図14は、ワイヤレス通信のための実施形態の方法1400のフローチャートを示している。方法1400は、ネットワークコントローラなどのネットワークノード、または基地局において実行される動作を示し得る。図示されるように、ステップ1402において、方法1400は、第1の追跡基準信号(TRS)構成を送信する。第1のTRS構成は、TRSバーストを送信するために、ある期間内に、たとえば2つの連続したスロット、または物理リソースブロック(PRB)ごとに第1のTRSリソースを指定し得る。第1のTRSリソースは、第1の複数のチャネル状態情報基準信号(CSI-RS)リソースを含み、第1の複数のCSI-RSリソースの各々は、対応するCSI-RS構成に従ってアンテナポートごとにCSI-RSを送信するように構成される。第1のTRS構成は、第1のQCLパラメータを含む第1の準コロケーション(QCL)構成を指定し得、第1のQCL構成は、第1のTRS構成に従って送信されたTRSが第1のQCLパラメータに関して基準信号とのQCL関係を有することを示す。ステップ1404において、方法1400は、第2のTRS構成を送信し得る。第2のTRS構成は、TRSバーストを送信するために、ある期間内に、たとえば2つの連続するスロット、またはPRBごとに、第2のTRSリソースを指定し得る。第2のTRSリソースは、第2の複数のCSI-RSリソースを含み、第2の複数のCSI-RSリソースの各々は、対応するCSI-RS構成に従ってアンテナポートごとにCSI-RSを送信するように構成される。第2のTRS構成は、第2のQCLパラメータを含む第2のQCL構成を指定し得、第2のQCL構成は、第2のTRS構成に従って送信されたTRSが第2のQCLパラメータに関して基準信号とのQCL関係を有することを示す。ステップ1402および1404は、同時に実行されてもよく、異なる時間に実行されてもよい。ステップ1406において、方法1400は、第1のTRS構成に従って第1のTRSをUEに送信し、第2のTRS構成に従って第2のTRSをUEに送信する。
【００９２】
本開示の一実施形態は、ユーザ機器(UE)によって、複数の1ポートチャネル状態情報基準信号(CSI-RS)構成の集約を備える1ポート追跡基準信号(TRS)を受信するステップを含む方法を提供する。
【００９３】
任意で、前述の態様のうちのいずれかにおいて、本方法は、UEによって、TRSの準コロケーション(QCL)仮定を受信することを備えるステップをさらに含む。
【００９４】
任意で、前述の態様のうちのいずれかにおいて、QCL仮定は、TRSの受信を支援するための同期信号のQCLパラメータに関する粗いQCL仮定、およびパイロットチャネル推定または/およびデータ復調を支援するための関連付けられるDMRSポートおよび/またはCSI-RSポートのQCLパラメータに関する細かいQCL仮定を含む。
【００９５】
任意で、前述の態様のうちのいずれかにおいて、本方法は、UEによって、特定のTRS構成でシグナリングされるQCL仮定のみを仮定するステップをさらに含む。
【００９６】
任意で、前述の態様のうちのいずれかにおいて、本方法は、異なるQCLパラメータあるいは異なるDMRSポートおよび/またはCSI-RSポートをターゲットとするTRSの複数のセットでUEを構成するステップをさらに含む。
【００９７】
任意で、前述の態様のうちのいずれかにおいて、TRSの送信帯域幅は、全帯域、部分帯域、またはUEがスケジューリングしたデータ送信帯域幅内のうちのいずれかである。
【００９８】
本開示の実施形態はまた、受信機と、命令を備える非一時的メモリストレージと、受信機およびメモリストレージと通信している1つまたは複数のプロセッサとを含むユーザ機器(UE)を提供する。1つまたは複数のプロセッサは、複数の1ポートチャネル状態情報基準信号(CSI-RS)構成の集約を備える1ポート追跡基準信号(TRS)を受信するために命令を実行する。
【００９９】
任意で、前述の態様のうちのいずれかにおいて、1つまたは複数のプロセッサは、TRSの準コロケーション(QCL)仮定を受信するために命令を実行する。
【０１００】
任意で、前述の態様のうちのいずれかにおいて、QCL仮定は、TRSの受信を支援するための同期信号のQCLパラメータに関する粗いQCL仮定、およびパイロットチャネル推定または/およびデータ復調を支援するための関連付けられるDMRSポートおよび/またはCSI-RSポートのQCLパラメータに関する細かいQCL仮定を含む。
【０１０１】
任意で、前述の態様のうちのいずれかにおいて、1つまたは複数のプロセッサは、特定のTRS構成でシグナリングされるQCL仮定のみを仮定するための命令を実行する。
【０１０２】
任意で、前述の態様のうちのいずれかにおいて、1つまたは複数のプロセッサは、異なるQCLパラメータあるいは異なるDMRSポートおよび/またはCSI-RSポートをターゲットとするTRSの複数のセットでUEを構成するための命令を実行する。
【０１０３】
任意で、前述の態様のうちのいずれかにおいて、TRSの送信帯域幅は、全帯域、部分帯域、またはUEがスケジューリングしたデータ送信帯域幅内のうちのいずれかである。
【０１０４】
図15は、一実施形態の通信システム1500を示している。一般に、システム1500は、複数のワイヤレスまたはワイヤードユーザがデータおよび他のコンテンツを送受信することを可能にする。システム1500は、符号分割多元接続(CDMA)、時分割多元接続(TDMA)、周波数分割多元接続(FDMA)、直交FDMA(OFDMA)、シングルキャリアFDMA(SC-FDMA)、または非直交多元接続(NOMA)などの1つまたは複数のチャネルアクセス方法を実装し得る。
【０１０５】
この例では、通信システム1500は、電子デバイス(ED)1510a〜1510c、無線アクセスネットワーク(RAN)1520a〜1520b、コアネットワーク1530、公衆交換電話網(PSTN)1540、インターネット1550、および他のネットワーク1560を含む。特定の数のこれらのコンポーネントまたは要素が図15に示されているが、任意の数のこれらのコンポーネントまたは要素がシステム1500に含まれてもよい。
【０１０６】
ED1510a〜1510cは、システム1500において動作および/または通信するように構成される。たとえば、ED1510a〜1510cは、ワイヤレスまたはワイヤード通信チャネルを介して送信および/または受信するように構成される。各ED1510a〜1510cは任意の適切なエンドユーザデバイスを表し、ユーザ機器/デバイス(UE)、ワイヤレス送信/受信ユニット(WTRU)、移動局、固定またはモバイル加入者ユニット、セルラー電話、携帯情報端末(PDA)、スマートフォン、ラップトップ、コンピュータ、タッチパッド、ワイヤレスセンサ、または家電デバイスなどのデバイスを含み得る(または、呼ばれ得る)。
【０１０７】
ここでのRAN1520a〜1520bは、それぞれ基地局1570a〜1570bを含む。各基地局1570a〜1570bは、コアネットワーク1530、PSTN1540、インターネット1550、および/または他のネットワーク1560へのアクセスを可能にするために、ED1510a〜1510cのうちの1つまたは複数とワイヤレスにインターフェースで接続するように構成される。たとえば、基地局1570a〜1570bは、基地トランシーバ局(BTS)、送受信点(TRP)、CUおよび1つまたは複数のDU/TRPからなるgNB、Node-B(NodeB)、進化型NodeB(eNodeB)、ホームNodeB、ホームeNodeB、サイトコントローラ、アクセスポイント(AP)、あるいはワイヤレスルータなどのいくつかのよく知られているデバイスのうちの1つまたは複数を含み得る(または、そうであり得る)。ここで、RAN1520a〜1520bは、代替的に、1つまたは複数のCU、1つまたは複数のDU、および1つまたは複数のTRPを含む論理基地局を備え得る。ここでのRAN1520a〜1520bは、代替的に、メインチャネルおよびセカンダリチャネルの接続性を備えたシングルデュアルキャリア基地局を備え得る。ED1510a〜1510cは、インターネット1550とインターフェースで接続して通信するように構成され、コアネットワーク1530、PSTN1540、および/または他のネットワーク1560にアクセスし得る。
【０１０８】
図15に示される実施形態では、基地局1570aは、他の基地局、要素、および/またはデバイスを含み得るRAN1520aの一部を形成する。また、基地局1570bは、他の基地局、要素、および/またはデバイスを含み得るRAN1520bの一部を形成する。各基地局1570a〜1570bは、「セル」と呼ばれることもある特定の地理的領域または地域内でワイヤレス信号を送信および/または受信するように動作する。いくつかの実施形態では、セルごとに複数のトランシーバを有する多入力多出力(MIMO)技術が採用され得る。
【０１０９】
基地局1570a〜1570bは、ワイヤレス通信リンクを使用して、1つまたは複数のエアインターフェース1590を介してED1510a〜1510cのうちの1つまたは複数と通信する。エアインターフェース1590は、任意の適切な無線アクセス技術を利用し得る。
【０１１０】
システム1500は、上述のような方式を含む複数のチャネルアクセス機能を使用し得ることが図られる。特定の実施形態では、基地局およびEDは、5G NR、LTE、LTE-A、および/またはLTE-Bを実装する。もちろん、他の多元接続方式およびワイヤレスプロトコルが利用され得る。
【０１１１】
RAN1520a〜1520bは、音声、データ、アプリケーション、ボイスオーバーインターネットプロトコル(VoIP)、または他のサービスをED1510a〜1510cに提供するために、コアネットワーク1530と通信している。当然ながら、RAN1520a〜1520bおよび/またはコアネットワーク1530は、1つまたは複数の他のRAN(図示せず)と直接または間接的に通信し得る。コアネットワーク1530はまた、他のネットワーク(PSTN1540、インターネット1550、および他のネットワーク1560など)のゲートウェイアクセスとして機能し得る。さらに、ED1510a〜1510cのうちのいくつかまたはすべては、異なるワイヤレス技術および/またはプロトコルを使用して異なるワイヤレスリンクを介して異なるワイヤレスネットワークと通信するための機能を含み得る。ワイヤレス通信の代わりに(または、それに加えて)、EDはワイヤード通信チャネルを介してサービスプロバイダまたはスイッチ(図示せず)、およびインターネット1550と通信し得る。
【０１１２】
図15は、通信システムの一例を示しているが、図15に対して様々な変更が行われ得る。たとえば、通信システム1500は、任意の適切な構成において、任意の数のED、基地局、ネットワーク、または他のコンポーネントを含むことができる。
【０１１３】
図16Aおよび図16Bは、本開示による方法および教示を実装し得る例示的なデバイスを示している。具体的には、図16Aは例示的なED1610を示し、図16Bは例示的な基地局1670を示している。これらのコンポーネントは、システム1500または他の任意の適切なシステムで使用することができる。
【０１１４】
図16Aに示されるように、ED1610は、少なくとも1つの処理ユニット1600を含む。処理ユニット1600は、ED1610の様々な処理動作を実装する。たとえば、処理ユニット1600は、信号符号化、データ処理、電力制御、入力/出力処理、またはED1610がシステム1500において動作することを可能にする任意の他の機能を実行し得る。処理ユニット1600はまた、上記でより詳細に説明された方法および教示をサポートする。各処理ユニット1600は、1つまたは複数の動作を実行するように構成された任意の適切な処理またはコンピューティングデバイスを含む。各処理ユニット1600は、たとえば、マイクロプロセッサ、マイクロコントローラ、デジタル信号プロセッサ、フィールドプログラマブルゲートアレイ、または特定用途向け集積回路を含むことができる。
【０１１５】
ED1610はまた、少なくとも1つのトランシーバ1602を含む。トランシーバ1602は、少なくとも1つのアンテナまたはNIC(ネットワークインターフェースコントローラ)1604による送信のためにデータまたは他のコンテンツを変調するように構成されるが、通常はビームフォーミングのために複数のアンテナである。トランシーバ1602はまた、少なくとも1つのアンテナ1604によって受信されたデータまたは他のコンテンツを復調するように構成される。各トランシーバ1602は、ワイヤレスまたはワイヤード送信のための信号を生成する、および/あるいはワイヤレスに、またはワイヤードで受信された信号を処理するための任意の適切な構造を含む。各アンテナ1604は、ワイヤレス信号またはワイヤード信号を送信および/または受信するための任意の適切な構造を含む。ED1610において1つまたは複数のトランシーバ1602を使用でき、またED1610において1つまたは複数のアンテナ1604を使用できる。単一の機能ユニットとして示されているが、トランシーバ1602はまた、少なくとも1つの送信機と少なくとも1つの別個の受信機を使用して実装することができる。
【０１１６】
ED1610は、1つまたは複数の入力/出力デバイス1606あるいはインターフェース(インターネット1550へのワイヤードインターフェースなど)をさらに含む。入力/出力デバイス1606は、ネットワーク内のユーザまたは他のデバイスとの相互作用(ネットワーク通信)を促進する。各入力/出力デバイス1606は、ネットワークインターフェース通信を含む、スピーカ、マイク、キーパッド、キーボード、ディスプレイ、またはタッチスクリーンなどの、ユーザに情報を提供するか、ユーザから情報を受信/提供するための任意の適切な構造を含む。
【０１１７】
さらに、ED1610は、少なくとも1つのメモリ1608を含む。メモリ1608は、ED1610によって使用、生成、または収集された命令およびデータを記憶する。たとえば、メモリ1608は、処理ユニット1600によって実行されるソフトウェアまたはファームウェア命令、および着信信号における干渉を低減または排除するために使用されるデータを記憶し得る。各メモリ1608は、任意の適切な揮発性および/または不揮発性ストレージおよび検索デバイスを含む。ランダムアクセスメモリ(RAM)、読出し専用メモリ(ROM)、ハードディスク、光ディスク、加入者識別モジュール(SIM)カード、メモリスティック、セキュアデジタル(SD)メモリカードなどの、任意の適切なタイプのメモリが使用され得る。
【０１１８】
図16Bに示されるように、基地局(またはRRHを備えたCU/DU/TRP)1670は、少なくとも1つの処理ユニット1650と、送信機および受信機の機能を含む少なくとも1つのトランシーバ1652と、1つまたは複数のアンテナ1656と、少なくとも1つのメモリ1658と、1つまたは複数の入力/出力デバイスまたはインターフェース1666とを含む。当業者によって理解されるであろうスケジューラは、処理ユニット1650に結合される。スケジューラは、基地局1670内に含まれるか、または基地局1670とは別個に動作し得る。処理ユニット1650は、信号符号化、データ処理、電力制御、入力/出力処理、または任意の他の機能などの基地局1670の様々な処理動作を実装する。処理ユニット1650はまた、上記でより詳細に説明された方法および教示をサポートすることができる。各処理ユニット1650は、1つまたは複数の動作を実行するように構成された任意の適切な処理またはコンピューティングデバイスを含む。各処理ユニット1650は、たとえば、マイクロプロセッサ、マイクロコントローラ、デジタル信号プロセッサ、フィールドプログラマブルゲートアレイ、または特定用途向け集積回路を含むことができる。
【０１１９】
各トランシーバ1652は、1つまたは複数のEDまたは他のデバイスへのワイヤレスまたはワイヤード送信のための信号を生成するための任意の適切な構造を含む。各トランシーバ1652は、1つまたは複数のEDまたは他のデバイスからワイヤレスに、またはワイヤードで受信された信号を処理するための任意の適切な構造をさらに含む。トランシーバ1652として組み合わされて図示されているが、送信機と受信機は別個のコンポーネントであり得る。各アンテナ1656は、ワイヤレス信号またはワイヤード信号を送信および/または受信するための任意の適切な構造を含む。ここでは、共通アンテナ1656がトランシーバ1652に結合されているように示されているが、1つまたは複数のアンテナ1656をトランシーバ1652に結合し、別個のコンポーネントとして装備されている場合、別個のアンテナ1656が送信機および受信機に結合されることを可能にすることができる。各メモリ1658は、任意の適切な揮発性および/または不揮発性ストレージおよび検索デバイスを含む。各入力/出力デバイス1666は、ネットワーク内のユーザまたは他のデバイスとの相互作用(ネットワーク通信)を促進する。各入力/出力デバイス1606は、ネットワークインターフェース通信を含む、ユーザに情報を提供するか、ユーザから情報を受信/提供するための任意の適切な構造を含む。
【０１２０】
図17は、本明細書で開示されるデバイスおよび方法を実装するために使用され得るコンピューティングシステム1700のブロック図である。たとえば、コンピューティングシステムは、UE、アクセスネットワーク(AN)、モビリティ管理(MM)、セッション管理(SM)、ユーザプレーンゲートウェイ(UPGW)、および/またはアクセス層(AS)の任意のエンティティであってよい。特定のデバイスは、図示されているすべてのコンポーネントまたはコンポーネントのサブセットのみを利用し得、統合のレベルはデバイスごとに異なる場合がある。さらに、デバイスは、複数の処理ユニット、プロセッサ、メモリ、送信機、受信機などのコンポーネントの複数のインスタンスを含み得る。コンピューティングシステム1700は処理ユニット1702を含む。処理ユニットは、中央処理装置(CPU)1714、メモリ1708を含み、また大容量ストレージデバイス1704、ビデオアダプタ1710、およびバス1720に接続されたI/Oインターフェース1712をさらに含み得る。
【０１２１】
バス1720は、メモリバスまたはメモリコントローラ、周辺バス、あるいはビデオバスを含む任意のタイプのいくつかのバスアーキテクチャのうちの1つまたは複数であり得る。CPU1714は、任意のタイプの電子データプロセッサを備え得る。メモリ1708は、スタティックランダムアクセスメモリ(SRAM)、ダイナミックランダムアクセスメモリ(DRAM)、シンクロナスDRAM(SDRAM)、読出し専用メモリ(ROM)、またはそれらの組合せなどの、任意のタイプの非一時的なシステムメモリを備え得る。一実施形態では、メモリ1708は、起動時に使用するためのROMと、プログラムの実行中に使用するためのプログラムおよびデータストレージ用のDRAMとを含み得る。
【０１２２】
大容量ストレージ1704は、データ、プログラム、および他の情報を記憶し、データ、プログラム、および他の情報を、バス1720を介してアクセス可能にするように構成された任意のタイプの非一時的ストレージデバイスを備え得る。大容量ストレージ1704は、たとえば、ソリッドステートドライブ、ハードディスクドライブ、磁気ディスクドライブ、または光ディスクドライブのうちの1つまたは複数を備え得る。
【０１２３】
ビデオアダプタ1710およびI/Oインターフェース1712は、外部入力および出力デバイスを処理ユニット1702に結合するためのインターフェースを提供する。図示されるように、入力および出力デバイスの例は、ビデオアダプタ1710に結合されたディスプレイ1718と、I/Oインターフェース1712に結合されたマウス/キーボード/プリンタ1716とを含む。他のデバイスが処理ユニット1702に結合されてもよく、追加のまたはより少ないインターフェースカードが利用されてもよい。たとえば、外部デバイスにインターフェースを提供するために、ユニバーサルシリアルバス(USB)(図示せず)などのシリアルインターフェースが使用され得る。
【０１２４】
処理ユニット1702はまた、1つまたは複数のネットワークインターフェース1706を含み、これは、イーサネット（登録商標）ケーブルなどのワイヤードリンク、および/またはアクセスノードまたは異なるネットワークへのワイヤレスリンクを備え得る。ネットワークインターフェース1706は、処理ユニット1702がネットワークを介して遠隔ユニットと通信することを可能にする。たとえば、ネットワークインターフェース1706は、1つまたは複数の送信機/送信アンテナおよび1つまたは複数の受信機/受信アンテナを介してワイヤレス通信を提供し得る。一実施形態では、処理ユニット1702は、データ処理、および他の処理ユニット、インターネット、またはリモートストレージ設備などのリモートデバイスとの通信のために、ローカルエリアネットワーク1722またはワイドエリアネットワークに結合される。
【０１２５】
本明細書で提供される実施形態の方法の1つまたは複数のステップは、対応するユニットまたはモジュールによって実行され得ることを理解されたい。たとえば、信号は、送信ユニットまたは送信モジュールによって送信され得る。信号は、受信ユニットまたは受信モジュールによって受信され得る。信号は、処理ユニットまたは処理モジュールによって処理され得る。他のステップは、構成ユニット/モジュール、集約ユニット/モジュール、シグナリングユニット/モジュール、仕様ユニット/モジュール、復調ユニット/モジュール、追跡ユニット/モジュール、同期ユニット/モジュール、チャネル推定ユニット/モジュール、および/または仮定ユニット/モジュールによって実行され得る。それぞれのユニット/モジュールは、ハードウェア、ソフトウェア、またはそれらの組合せであってもよい。たとえば、ユニット/モジュールのうちの1つまたは複数は、フィールドプログラマブルゲートアレイ(FPGA)または特定用途向け集積回路(ASIC)などの集積回路であってもよい。
【０１２６】
たとえば、一実施形態では、命令を含む非一時的メモリストレージ手段と、メモリストレージ手段と通信する1つまたは複数のプロセッサ手段とを含むユーザ機器(UE)が開示され、1つまたは複数のプロセッサが、第1のチャネル状態情報-RS(CSI-RS)構成に従って追跡するための第1の基準信号(RS)を受信させるために命令を実行し、第1のCSI-RS構成が、RSを搬送するための2つの連続するスロット内のCSI-RSリソースの第1のセットであって、第1のCSI-RS構成に従って構成される複数の1ポートCSI-RSリソースを備える、CSI-RSリソースの第1のセットと、QCLパラメータの第1のセットを備える第1の準コロケーション(QCL)構成とを指定する。第1のQCL構成は、第1のRSがQCLパラメータの第1のセットに関して第1の復調基準信号(DMRS)とのQCL関係を有していることを示す。
【０１２７】
この開示は例示的な実施形態を参照して説明されたが、この説明は限定的な意味で解釈されることが意図されるものではない。例示的な実施形態の様々な修正および組合せ、ならびに本開示の他の実施形態は、説明を参照すれば当業者には明らかであろう。したがって、添付の特許請求の範囲は、任意のそのような修正または実施形態を包含することが意図される。
【符号の説明】
【０１２８】
100  ネットワーク
101  カバレッジエリア
110  基地局
120  モバイルデバイス
130  バックホールネットワーク
200  TRSバースト構造
300  ワイヤレス通信ネットワーク
302  UE
304  基地局
400  図
402  SSブロック
404  DMRS
406  CSI-RS
408  TRS
410  CSI-RS
412  DMRS
502  SSブロック
504  DMRS
506  CSI-RS
508  TRS
510  CSI-RS
512  DMRS
600  RB
700  RB
800  RB
810  リソース要素
812  リソース要素
814  リソース要素
816  リソース要素
900  RB
912〜920  リソース要素
1010  集約された1ポートCSI-RS構成の第1のセット
1050  集約された1ポートCSI-RS構成の第2のセット
1100  方法
1150  UE
1152  ネットワークノード
1200  方法
1300  方法
1400  方法
1500  通信システム
1510a〜1510c  電子デバイス(ED)
1520a〜1520b  無線アクセスネットワーク(RAN)
1530  コアネットワーク
1540  公衆交換電話網(PSTN)
1550  インターネット
1560  他のネットワーク
1570a〜1570b  基地局
1590  エアインターフェース
1600  処理ユニット
1602  トランシーバ
1604  ネットワークインターフェースコントローラ
1606  入力/出力デバイス
1608  メモリ
1610  ED
1650  処理ユニット
1652  トランシーバ
1656  アンテナ
1658  メモリ
1666  入力/出力デバイスまたはインターフェース
1670  基地局
1700  コンピューティングシステム
1702  処理ユニット
1704  大容量ストレージデバイス
1706  ネットワークインターフェース
1708  メモリ
1710  ビデオアダプタ
1712  I/Oインターフェース
1714  中央処理装置(CPU)
1716  マウス/キーボード/プリンタ
1718  ディスプレイ
1720  バス
1722  ローカルエリアネットワーク
【図１】
2020530720.tif 000003
【図２】
2020530720.tif 000004
【図３】
2020530720.tif 000005
【図４】
2020530720.tif 000006
【図５】
2020530720.tif 000007
【図６】
2020530720.tif 000008
【図７】
2020530720.tif 000009
【図８】
2020530720.tif 000010
【図９】
2020530720.tif 000011
【図１０】
2020530720.tif 000012
【図１１】
2020530720.tif 000013
【図１２】
2020530720.tif 000014
【図１３】
2020530720.tif 000015
【図１４】
2020530720.tif 000016
【図１５】
2020530720.tif 000017
【図１６Ａ】
2020530720.tif 000018
【図１６Ｂ】
2020530720.tif 000019
【図１７】
2020530720.tif 000020
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
ネットワークコントローラによって、第1のチャネル状態情報-RS(CSI-RS)構成に従って追跡するための第1の基準信号(RS)を送信するステップを備え、前記第1のCSI-RS構成が、
前記第1のRSを送信するための2つの連続するスロット内のCSI-RSリソースの第1のセットであって、前記第1のCSI-RS構成に従って構成される複数の1ポートCSI-RSリソースを備える、CSI-RSリソースの第1のセットと、
QCLパラメータの第1のセットを備える第1の準コロケーション(QCL)構成であって、前記第1のRSが、QCLパラメータの前記第1のセットに関して第1の復調基準信号(DMRS)とのQCL関係を有することを示す、第1のQCL構成と
を指定する、方法。
【請求項２】
CSI-RSリソースの前記第1のセットが4つの1ポートCSI-RSリソースを備え、前記4つの1ポートCSI-RSリソースが周波数領域において等間隔に配置される、請求項1に記載の方法。
【請求項３】
前記第1のQCL構成がQCLパラメータの第2のセットを備え、前記第1のQCL構成が、前記第1のDMRSがQCLパラメータの前記第2のセットに関して第2のダウンリンク基準信号とのQCL関係を有することを示す、請求項1または2に記載の方法。
【請求項４】
前記第2のダウンリンク基準信号が、追跡のための第2のRS、同期信号(SS)または物理ブロードキャストチャネル(PBCH)ブロックのうちの少なくとも1つを備える、請求項3に記載の方法。
【請求項５】
前記第1のCSI-RS構成が、前記第1のRSが定期的に送信される時間間隔または時間領域における前記第1のRSの長さのうちの少なくとも1つをさらに指定する、請求項1から4のいずれか一項に記載の方法。
【請求項６】
QCLパラメータの前記第1のセットが、平均遅延、ドップラシフト、遅延スプレッド、または空間受信機パラメータを備える、請求項1から5のいずれか一項に記載の方法。
【請求項７】
前記ネットワークコントローラによって、前記第1のCSI-RS構成をシグナリングするステップをさらに備える、請求項1から6のいずれか一項に記載の方法。
【請求項８】
前記ネットワークコントローラによって、第2のCSI-RS構成に従って追跡するための第2のRSを送信するステップであって、前記第2のCSI-RS構成が前記第1のCSI-RS構成とは異なり、前記第2のCSI-RS構成が、
前記第2のRSを送信するための2つの連続するスロット内のCSI-RSリソースの第2のセットであって、前記第2のCSI-RS構成に従って構成された複数の1ポートCSI-RSリソースを備える、CSI-RSリソースの第2のセットと、
QCLパラメータの第3のセットを備える第2のQCL構成であって、前記第2のRSがQCLパラメータの前記第3のセットに関して第2のDMRSとのQCL関係を有することを示す、第2のQCL構成と
を指定する、ステップをさらに備える、請求項1に記載の方法。
【請求項９】
前記第1のRSと前記第2のRSが同じユーザ機器(UE)に送信される、請求項8に記載の方法。
【請求項１０】
前記第1のRSと前記第2のRSが異なる間隔で送信される、請求項8に記載の方法。
【請求項１１】
前記第2のRSがSSブロックまたはCSI-RSを備える、請求項8に記載の方法。
【請求項１２】
前記第1のRSが、全帯域、部分帯域、またはUEがスケジューリングしたデータ送信帯域幅を使用して送信される、請求項1から11のいずれか一項に記載の方法。
【請求項１３】
ユーザ機器(UE)によって、第1のチャネル状態情報-RS(CSI-RS)構成に従って追跡するための第1の基準信号(RS)を受信するステップを備え、前記第1のCSI-RS構成が、
2つの連続するスロット内のCSI-RSリソースの第1のセットであって、前記第1のCSI-RS構成に従って構成される複数の1ポートCSI-RSリソースを備える、CSI-RSリソースの第1のセットと、
QCLパラメータの第1のセットを備える第1の準コロケーション(QCL)構成であって、前記第1のRSが、QCLパラメータの前記第1のセットに関して第1の復調基準信号(DMRS)とのQCL関係を有することを示す、第1のQCL構成と
を指定する、方法。
【請求項１４】
CSI-RSリソースの前記第1のセットが4つの1ポートCSI-RSリソースを備え、前記4つの1ポートCSI-RSリソースが周波数領域において等間隔に配置される、請求項13に記載の方法。
【請求項１５】
前記第1のQCL構成がQCLパラメータの第2のセットを備え、前記第1のQCL構成が、前記第1のDMRSがQCLパラメータの前記第2のセットに関して第2のダウンリンク基準信号とのQCL関係を有することを示す、請求項13または14に記載の方法。
【請求項１６】
前記第2のダウンリンク基準信号が、追跡のための第2のRS、同期信号(SS)または物理ブロードキャストチャネル(PBCH)ブロックのうちの少なくとも1つを備える、請求項15に記載の方法。
【請求項１７】
前記第1のCSI-RS構成が、前記第1のRSが定期的に送信される時間間隔または時間領域における前記第1のRSの長さのうちの少なくとも1つをさらに指定する、請求項13から16のいずれか一項に記載の方法。
【請求項１８】
QCLパラメータの前記第1のセットが、平均遅延、ドップラシフト、遅延スプレッド、または空間受信機パラメータを備える、請求項13から17のいずれか一項に記載の方法。
【請求項１９】
前記UEによって、前記第1のCSI-RS構成を受信するステップをさらに備える、請求項13から18のいずれか一項に記載の方法。
【請求項２０】
前記UEによって、第2のCSI-RS構成に従って追跡するための第2のRSを受信するステップであって、前記第2のCSI-RS構成が前記第1のCSI-RS構成とは異なり、前記第2のCSI-RS構成が、
2つの連続するスロット内のCSI-RSリソースの第2のセットであって、前記第2のCSI-RS構成に従って構成された複数の1ポートCSI-RSリソースを備える、CSI-RSリソースの第2のセットと、
QCLパラメータの第3のセットを備える第2のQCL構成であって、第2のDMRSがQCLパラメータの前記第3のセットに関して前記第2のRSとのQCL関係を有することを示す、第2のQCL構成と
を指定する、ステップをさらに備える、請求項13に記載の方法。
【請求項２１】
前記第2のRSがSSブロックまたはCSI-RSを備える、請求項20に記載の方法。
【請求項２２】
前記UEによって、それが過ぎると前記第1のCSI-RS構成が期限切れになる時間期間を受信するステップをさらに備える、請求項13から21のいずれか一項に記載の方法。
【請求項２３】
前記UEによって、前記第1のQCL構成に従って前記UEによって受信された第1のデータを復調するステップのうちの少なくとも1つをさらに備える、請求項13から21のいずれか一項に記載の方法。
【請求項２４】
前記UEによって、前記第1のRSおよび前記第1のQCL構成に基づいて同期推定を実行するステップをさらに備える、請求項13から21のいずれか一項に記載の方法。
【請求項２５】
前記UEによって、前記第1のQCL構成に従ってチャネル推定を実行するステップをさらに備える、請求項13から24のいずれか一項に記載の方法。
【請求項２６】
命令を備える非一時的メモリストレージと、
前記メモリストレージと通信している1つまたは複数のプロセッサと
を備え、前記1つまたは複数のプロセッサが、
第1のチャネル状態情報-RS(CSI-RS)構成に従って追跡するための第1の基準信号(RS)を送信させるために前記命令を実行し、前記第1のCSI-RS構成が、
前記第1のRSを送信するための2つの連続するスロット内のCSI-RSリソースの第1のセットであって、前記第1のCSI-RS構成に従って構成される複数の1ポートCSI-RSリソースを備える、CSI-RSリソースの第1のセットと、
QCLパラメータの第1のセットを備える第1の準コロケーション(QCL)構成であって、前記第1のRSが、QCLパラメータの前記第1のセットに関して第1の復調基準信号(DMRS)とのQCL関係を有することを示す、第1のQCL構成と
を指定する、基地局。
【請求項２７】
CSI-RSリソースの前記第1のセットが4つの1ポートCSI-RSリソースを備え、前記4つの1ポートCSI-RSリソースが周波数領域において等間隔に配置される、請求項26に記載の基地局。
【請求項２８】
前記第1のQCL構成がQCLパラメータの第2のセットを備え、前記第1のQCL構成が、前記第1のDMRSがQCLパラメータの前記第2のセットに関して第2のダウンリンク基準信号とのQCL関係を有することを示す、請求項26または27に記載の基地局。
【請求項２９】
前記第2のダウンリンク基準信号が、追跡のための第2のRS、同期信号(SS)または物理ブロードキャストチャネル(PBCH)ブロックのうちの少なくとも1つを備える、請求項28に記載の基地局。
【請求項３０】
前記第1のCSI-RS構成が、前記第1のRSが定期的に送信される時間間隔または時間領域における前記第1のRSの長さのうちの少なくとも1つをさらに指定する、請求項26から29のいずれか一項に記載の基地局。
【請求項３１】
QCLパラメータの前記第1のセットが、平均遅延、ドップラシフト、遅延スプレッド、または空間受信機パラメータを備える、請求項26から30のいずれか一項に記載の基地局。
【請求項３２】
前記1つまたは複数のプロセッサが、前記第1のCSI-RS構成をシグナリングすることをさらに行うために前記命令を実行する、請求項26から31のいずれか一項に記載の基地局。
【請求項３３】
前記1つまたは複数のプロセッサが、
第2のCSI-RS構成に従って追跡するための第2のRSを送信させることをさらに行うために前記命令を実行し、前記第2のCSI-RS構成が前記第1のCSI-RS構成とは異なり、前記第2のCSI-RS構成が、
前記第2のRSを送信するための2つの連続するスロット内のCSI-RSリソースの第2のセットであって、前記第2のCSI-RS構成に従って構成された複数の1ポートCSI-RSリソースを備える、CSI-RSリソースの第2のセットと、
QCLパラメータの第3のセットを備える第2のQCL構成であって、前記第2のRSがQCLパラメータの前記第3のセットに関して第2のDMRSとのQCL関係を有することを示す、第2のQCL構成と
を指定する、請求項26に記載の基地局。
【請求項３４】
前記第1のRSと前記第2のRSが同じユーザ機器(UE)に送信される、請求項33に記載の基地局。
【請求項３５】
前記第1のRSと前記第2のRSが異なる間隔で送信される、請求項33に記載の基地局。
【請求項３６】
前記第1のRSが、全帯域、部分帯域、またはUEがスケジューリングしたデータ送信帯域幅を使用して送信される、請求項26から35のいずれか一項に記載の基地局。
【請求項３７】
命令を備える非一時的メモリストレージと、
前記メモリストレージと通信している1つまたは複数のプロセッサと
を備え、前記1つまたは複数のプロセッサが、
第1のチャネル状態情報-RS(CSI-RS)構成に従って追跡するための第1の基準信号(RS)を受信させるために前記命令を実行し、前記第1のCSI-RS構成が、
RSを搬送するための2つの連続するスロット内のCSI-RSリソースの第1のセットであって、前記第1のCSI-RS構成に従って構成される複数の1ポートCSI-RSリソースを備える、CSI-RSリソースの第1のセットと、
QCLパラメータの第1のセットを備える第1の準コロケーション(QCL)構成であって、前記第1のRSが、QCLパラメータの前記第1のセットに関して第1の復調基準信号(DMRS)とのQCL関係を有することを示す、第1のQCL構成と
を指定する、ユーザ機器(UE)。
【請求項３８】
CSI-RSリソースの前記第1のセットが4つの1ポートCSI-RSリソースを備え、前記4つの1ポートCSI-RSリソースが周波数領域において等間隔に配置される、請求項37に記載のUE。
【請求項３９】
前記第1のQCL構成がQCLパラメータの第2のセットを備え、前記第1のQCL構成が、前記第1のDMRSがQCLパラメータの前記第2のセットに関して第2のダウンリンク基準信号とのQCL関係を有することを示す、請求項37または38に記載のUE。
【請求項４０】
前記第2のダウンリンク基準信号が、追跡のための第2のRS、同期信号(SS)または物理ブロードキャストチャネル(PBCH)ブロックのうちの少なくとも1つを備える、請求項39に記載のUE。
【請求項４１】
前記第1のCSI-RS構成が、前記第1のRSが定期的に送信される時間間隔または時間領域における前記第1のRSの長さのうちの少なくとも1つをさらに指定する、請求項37から40のいずれか一項に記載のUE。
【請求項４２】
QCLパラメータの前記第1のセットが、平均遅延、ドップラシフト、遅延スプレッド、または空間受信機パラメータを備える、請求項37から41のいずれか一項に記載のUE。
【請求項４３】
前記第1のCSI-RS構成を備えるシグナリングを受信することをさらに行うために、前記1つまたは複数のプロセッサが前記命令を実行する、請求項37から40のいずれか一項に記載のUE。
【請求項４４】
前記1つまたは複数のプロセッサが、
第2のCSI-RS構成に従って追跡するための第2のRSを受信させることをさらに行うために前記命令を実行し、前記第2のCSI-RS構成が前記第1のCSI-RS構成とは異なり、前記第2のCSI-RS構成が、
前記第2のRSを搬送するための2つの連続するスロット内のCSI-RSリソースの第2のセットであって、前記第2のCSI-RS構成に従って構成された複数の1ポートCSI-RSリソースを備える、CSI-RSリソースの第2のセットと、
QCLパラメータの第3のセットを備える第2のQCL構成であって、前記第2のRSがQCLパラメータの前記第3のセットに関して第2のDMRSとのQCL関係を有することを示す、第2のQCL構成と
を指定する、請求項37に記載のUE。
【請求項４５】
前記第2のRSがSSブロックまたはCSI-RSを備える、請求項44に記載のUE。
【請求項４６】
前記1つまたは複数のプロセッサが、
それが過ぎると前記第1のCSI-RS構成が期限切れになる時間期間を受信することをさらに行うために前記命令を実行する、請求項37から45のいずれか一項に記載のUE。
【請求項４７】
前記1つまたは複数のプロセッサが、
前記第1のQCL構成に従って前記UEによって受信された第1のデータを復調すること、および/または
前記第1のQCL構成に従ってチャネル推定を実行すること
をさらに行うために前記命令を実行する、請求項37から46のいずれか一項に記載のUE。
【請求項４８】
前記1つまたは複数のプロセッサが、
前記第1のRSおよび前記第1のQCL構成に基づいて同期推定を実行することをさらに行うために前記命令を実行する、請求項37から47のいずれか一項に記載のUE。
【請求項４９】
前記1つまたは複数のプロセッサが、
前記第1のQCL構成に従ってチャネル推定を実行することをさらに行うために前記命令を実行する、請求項37から48のいずれか一項に記載のUE。
【請求項５０】
命令を備えるコンピュータプログラムであって、前記命令がコンピュータによって実行されると、前記コンピュータに請求項1から12のいずれか一項に記載の方法または請求項13から25のいずれか一項に記載の方法を実施させる、コンピュータプログラム。
【請求項５１】
請求項1から12のいずれか一項に記載の方法を実行するための手段を備える、基地局。
【請求項５２】
請求項13から25のいずれか一項に記載の方法を実行するための手段を備える、ユーザ機器(UE)。
【手続補正２】
【補正対象書類名】明細書
【補正対象項目名】００６８
【補正方法】変更
【補正の内容】
【００６８】
TRS構成は、たとえばRRCシグナリングまたはブロードキャストチャネルにおいてUEにシグナリングされ得る。たとえば、DMRSポートまたはCSI測定用のCSI-RSポートなどの関連するQCLパラメータおよび関連付けられるポートをさらに含むQCL仮定を含むTRS構成は、ネットワークノードからUEにシグナリングされ得る。UEのために構成された複数のTRS構成の場合、複数のTRS構成がUEにシグナリングされ得る。UEは、TRS構成のシグナリングを受信し得、QCL仮定およびQCL仮定とTRS信号との間の関連付けを取得し、関連付けられるTRS信号から1つまたは複数のQCLパラメータを導出し、対応するDMRSポートまたはCSI-RSポートの受信時に適用される。
【手続補正３】
【補正対象書類名】明細書
【補正対象項目名】０１２０
【補正方法】変更
【補正の内容】
【０１２０】
図17は、本明細書で開示されるデバイスおよび方法を実装するために使用され得るコンピューティングシステム1700のブロック図である。たとえば、コンピューティングシステムは、UE、アクセスネットワーク(AN)、モビリティ管理(MM)、セッション管理(SM)、ユーザプレーンゲートウェイ(UPGW)、および/またはアクセス層(AS)の任意のエンティティであってよい。特定のデバイスは、図示されているすべてのコンポーネントまたはコンポーネントのサブセットのみを利用し得、統合のレベルはデバイスごとに異なる場合がある。さらに、デバイスは、複数の処理ユニット、プロセッサ、メモリ、送信機、受信機などのコンポーネントの複数のインスタンスを含み得る。コンピューティングシステム1700は処理ユニット1702を含む。処理ユニットは、中央処理装置(CPU)1714、メモリ1708を含み、また大容量ストレージデバイス1704、ビデオアダプタ1710、およびバスに接続されたI/Oインターフェース1712をさらに含み得る。
【手続補正４】
【補正対象書類名】明細書
【補正対象項目名】０１２１
【補正方法】変更
【補正の内容】
【０１２１】
バスは、メモリバスまたはメモリコントローラ、周辺バス、あるいはビデオバスを含む任意のタイプのいくつかのバスアーキテクチャのうちの1つまたは複数であり得る。CPU1714は、任意のタイプの電子データプロセッサを備え得る。メモリ1708は、スタティックランダムアクセスメモリ(SRAM)、ダイナミックランダムアクセスメモリ(DRAM)、シンクロナスDRAM(SDRAM)、読出し専用メモリ(ROM)、またはそれらの組合せなどの、任意のタイプの非一時的なシステムメモリを備え得る。一実施形態では、メモリ1708は、起動時に使用するためのROMと、プログラムの実行中に使用するためのプログラムおよびデータストレージ用のDRAMとを含み得る。
【手続補正５】
【補正対象書類名】明細書
【補正対象項目名】０１２２
【補正方法】変更
【補正の内容】
【０１２２】
大容量ストレージ1704は、データ、プログラム、および他の情報を記憶し、データ、プログラム、および他の情報を、バスを介してアクセス可能にするように構成された任意のタイプの非一時的ストレージデバイスを備え得る。大容量ストレージ1704は、たとえば、ソリッドステートドライブ、ハードディスクドライブ、磁気ディスクドライブ、または光ディスクドライブのうちの1つまたは複数を備え得る。
【国際調査報告】
2020530720.tif 000021
2020530720.tif 000022